(57)【要約】【課題】消費者が憶えておく必要がある商品に関する商品情報等を、より適切かつ効果的に当該消費者に対して提示することが可能な商品情報提供システム、ユーザメモ管理装置及び端末装置等を提供する。【解決手段】本発明は、ユーザが利用する端末装置と、当該端末装置がネットワークを介して接続可能なユーザメモ管理装置と、を備える商品情報提供システムであって、前記ユーザメモ管理装置は、前記端末装置においてユーザにより指定された商品に関する商品情報と、当該ユーザに対して個別に割り当てられたユーザ識別情報と、を取得する商品情報取得手段と、前記取得された商品情報を前記ユーザのメモ情報として、前記取得されたユーザ識別情報に対応付けて記憶する商品情報記憶手段と、を備え、前記端末装置は、自己を利用するユーザの前記ユーザ識別情報に対応する前記記憶されたメモ情報を前記ユーザメモ管理装置から取得するメモ情報取得手段と、前記取得されたメモ情報を表示するメモ情報表示手段と、を備える。【選択図】図１
2007115220.tif 000002
【特許請求の範囲】
【請求項１】
ユーザが利用する端末装置と、当該端末装置がネットワークを介して接続可能なユーザメモ管理装置と、を備える商品情報提供システムであって、
前記ユーザメモ管理装置は、
前記端末装置においてユーザにより指定された商品に関する商品情報と、当該ユーザに対して個別に割り当てられたユーザ識別情報と、を取得する商品情報取得手段と、
前記取得された商品情報を前記ユーザのメモ情報として、前記取得されたユーザ識別情報に対応付けて記憶する商品情報記憶手段と、を備え、
前記端末装置は、
自己を利用するユーザの前記ユーザ識別情報に対応する前記記憶されたメモ情報を前記ユーザメモ管理装置から取得するメモ情報取得手段と、
前記取得されたメモ情報を表示するメモ情報表示手段と、
を備えることを特徴とする商品情報提供システム。
【請求項２】
請求項１に記載の商品情報提供システムにおいて、
前記ネットワークを介して前記ユーザメモ管理装置に接続可能な商品情報管理装置を更に備え、
前記ユーザメモ管理装置の前記商品情報取得手段は、商品に対して個別に割り当てられた商品識別情報であって、前記端末装置により取得された商品識別情報に対応する前記商品情報を、前記商品情報管理装置から取得することを特徴とする商品情報提供システム。
【請求項３】
請求項１又は２に記載の商品情報提供システムにおいて、
前記端末装置の前記メモ情報取得手段は、前記メモ情報として記憶された複数の商品に関する商品情報のうち、同種類の商品に関する商品情報を前記ユーザメモ管理装置から取得し、
前記端末装置の前記メモ情報表示手段は、前記取得された同種類の商品に関する商品情報を比較可能に表示することを特徴とする商品情報提供システム。
【請求項４】
請求項１乃至３の何れか一項に記載の商品情報提供システムにおいて、
商品を販売する店舗に設置され、かつ、前記端末装置との間で近距離無線通信を行う店舗端末装置を更に備え、
前記端末装置は、前記店舗端末装置との間で近距離無線通信が確立した際に、前記ユーザメモ管理装置にメモ情報として記憶されている商品情報に係る商品についての問い合わせを前記店舗端末装置に対して行う商品問合せ手段を更に備え、
前記店舗端末装置は、
前記端末装置からの問い合わせに係る商品を検索する商品検索手段と、
前記商品検索手段により問い合わせに係る商品が検索された場合には、少なくとも、当該商品に関する商品情報及び当該店舗に関する店舗情報を前記端末装置に対して送信する検索結果送信手段と、を備えることを特徴とする商品情報提供システム。
【請求項５】
請求項１乃至３の何れか一項に記載の商品情報提供システムにおいて、
前記端末装置は、
自己の現在位置を示す現在位置情報を取得する現在位置情報取得手段と、
前記取得された現在位置情報を、前記ユーザメモ管理装置に対して送信する現在位置情報送信手段と、を更に備え、
前記ユーザメモ管理装置は、
前記端末装置からの現在位置情報を受信する現在位置情報受信手段と、
前記現在位置情報にて示された現在位置を基準とする所定範囲内に、前記メモ情報として記憶された商品情報に係る商品を取り扱っている店舗を検索する店舗検索手段と、
前記店舗検索手段により前記商品を取り扱っている店舗が検索された場合には、少なくとも、当該商品に関する商品情報及び当該店舗に関する店舗情報を前記端末装置に対して送信する検索結果送信手段と、を更に備えることを特徴とする商品情報提供システム。
【請求項６】
請求項１に記載の商品情報提供システムにおいて、
前記ユーザが利用する端末装置として、前記ユーザの自宅に設置された第１端末装置と、前記ユーザが携帯する第２端末装置と、を備え、
前記ユーザメモ管理装置の前記商品情報取得手段は、前記第１端末装置においてユーザにより指定された商品であってユーザが購入予定である商品に関する商品情報と、当該ユーザに対して個別に割り当てられたユーザ識別情報と、を取得し、
前記第２端末装置のメモ情報取得手段は、自己を利用するユーザの前記ユーザ識別情報に対応する前記記憶されたメモ情報を前記ユーザメモ管理装置から取得することを特徴とする商品情報提供システム。
【請求項７】
請求項１乃至６の何れか一項に記載の商品情報提供システムに含まれるユーザメモ管理装置であって、
前記商品情報取得手段及び前記商品情報記憶手段を備えることを特徴とするユーザメモ管理装置。
【請求項８】
請求項７に記載のユーザメモ管理装置に含まれるコンピュータを、
前記商品情報取得手段及び前記商品情報記憶手段として機能させることを特徴とするユーザメモ管理処理プログラム。
【請求項９】
請求項１乃至６の何れか一項に記載の商品情報提供システムに含まれる端末装置であって、
前記メモ情報取得手段及び前記メモ情報表示手段を備えることを特徴とする端末装置。
【請求項１０】
請求項９に記載の端末装置に含まれるコンピュータを、
前記メモ情報取得手段及び前記メモ情報表示手段として機能させることを特徴とする端末処置プログラム。
【請求項１１】
請求項２に記載の商品情報提供システムにおいて、
前記商品情報は、手書きＰＯＰデータであることを特徴とする商品情報提供システム。
【請求項１２】
ユーザが利用する端末装置と、当該端末装置がネットワークを介して接続可能なユーザメモ管理装置と、を備える商品情報提供システムにおける商品情報提供方法であって、
前記ユーザメモ管理装置が、前記端末装置においてユーザにより指定された商品に関する商品情報と、当該ユーザに対して個別に割り当てられたユーザ識別情報と、を取得し、当該取得された商品情報を前記ユーザのメモ情報として、前記取得されたユーザ識別情報に対応付けて記憶する工程と、
前記端末装置が、自己を利用するユーザの前記ユーザ識別情報に対応する前記記憶されたメモ情報を前記ユーザメモ管理装置から取得し、当該取得されたメモ情報を表示する工程と、
を備えることを特徴とする商品情報提供方法。
【請求項１３】
複数の携帯型端末装置と、前記複数の携帯型端末装置とネットワークを介して通信可能な商品情報提供装置と、を備える商品情報提供システムにおいて、
前記携帯型端末装置は、
商品毎に個別に割り当てられた商品識別情報を取得する商品識別情報取得手段と、
当該携帯型端末装置のユーザ毎に個別に割り当てられたユーザ識別情報を取得するユーザ識別情報取得手段と、
前記取得された商品識別情報及びユーザ識別情報を、前記ネットワークを介して前記商品情報提供装置に対して送信する識別情報送信手段と、
前記商品情報提供装置から送信されてきた商品情報を受信する商品情報受信手段と、
前記受信された商品情報を表示する商品情報表示手段と、
ユーザが前記表示された商品情報の登録指示を入力するための登録指示入力手段と、
前記商品情報の登録指示が入力された場合に、当該商品情報の登録要求を示す登録要求情報を前記商品情報提供装置に対して送信する登録要求情報送信手段と、
を備え、
前記商品情報提供装置は、
前記携帯型端末装置から送信されてきた商品識別情報及びユーザ識別情報を受信する識別情報受信手段と、
各前記携帯型端末装置のユーザ毎のメモ情報が前記ユーザ識別情報に対応付けられて登録されているメモ情報データベースを検索して、前記受信された前記ユーザ識別情報に対応付けられたメモ情報中に、前記受信された商品識別情報に対応する商品の商品情報が含まれているか否かを判別する商品情報有無判別手段と、
前記商品情報有無判別手段により商品情報が含まれていないと判別された場合には、複数種類の商品毎の商品情報が前記商品識別情報に対応付けられて登録されている商品情報データベースを検索して、前記受信された商品識別情報に対応する商品の商品情報を取得する商品情報取得手段と、
前記取得された商品情報を前記携帯型端末装置に対して送信する商品情報送信手段と、
前記携帯型端末装置から送信されてきた前記商品情報の登録要求を示す登録要求情報を受信する登録要求情報受信手段と、
前記登録要求情報が受信された場合には、前記取得された商品情報をメモ情報として、前記受信されたユーザ識別情報に対応付けて前記メモ情報データベースに登録するメモ情報登録手段と、
を備えることを特徴とする商品情報提供システム。
【請求項１４】
請求項１３に記載の商品情報提供システムにおいて、
前記商品情報有無判別手段により商品情報が含まれていると判別された場合には、前記商品情報提供装置の前記商品情報取得手段は、前記メモ情報データベースから当該商品情報を取得し、前記商品情報送信手段は、当該取得された商品情報を前記携帯型端末装置に対して送信することを特徴とする商品情報提供システム。
【請求項１５】
請求項１３又は１４に記載の商品情報提供システムにおいて、
前記携帯型端末装置は、
前記表示された商品情報に対して付加する付加情報を入力するための付加情報入力手段と、
前記入力された付加情報を前記商品情報提供装置に対して送信する付加情報送信手段と、
を更に備え、
前記商品情報提供装置は、
前記携帯型端末装置から送信されてきた前記付加情報を受信する付加情報受信手段を更に備え、
前記メモ情報登録手段は、前記取得された商品情報に対して前記受信された付加情報を付加して前記メモ情報データベースに登録することを特徴とする商品情報提供システム。
【請求項１６】
請求項１３乃至１５の何れか一項に記載の商品情報提供システムにおいて、
前記商品情報提供装置は、
前記メモ情報データベースに登録された商品情報に係る商品のお勧め情報を取得するお勧め情報取得手段と、
前記取得されたお勧め情報を前記携帯型端末装置に対して送信するお勧め情報送信手段と、
を更に備え、
前記携帯型端末装置は、
前記商品情報提供装置から送信されてきたお勧め情報を受信するお勧め情報受信手段と、
前記受信されたお勧め情報を表示するお勧め情報表示手段と、
を更に備えることを特徴とする商品情報提供システム。
【請求項１７】
請求項１３乃至１６の何れか一項に記載の商品情報提供システムにおいて、
前記商品情報提供装置は、
前記メモ情報データベースに登録された商品情報に係る商品の口コミ情報を取得する口コミ情報取得手段と、
前記取得されたお勧め情報を前記携帯型端末装置に対して送信する口コミ情報送信手段と、
を更に備え、
前記携帯型端末装置は、
前記商品情報提供装置から送信されてきた口コミ情報を受信する口コミ情報受信手段と、
前記受信された口コミ情報を表示する口コミ情報表示手段と、
を更に備えることを特徴とする商品情報提供システム。
【請求項１８】
請求項１３乃至１７の何れか一項に記載の商品情報提供システムに含まれる商品情報提供装置であって、
前記識別情報受信手段、前記商品情報有無判別手段、前記商品情報取得手段、前記商品情報送信手段、前記登録要求情報受信手段、及び前記メモ情報登録手段を備えることを特徴とする商品情報提供装置。
【請求項１９】
コンピュータを、請求項１８に記載の商品情報提供装置として機能させることを特徴とする商品情報提供処理プログラム。
【請求項２０】
複数の携帯型端末装置と、前記複数の携帯型端末装置とネットワークを介して通信可能な商品情報提供装置と、を備える商品情報提供システムにおける商品情報提供方法であって、
前記携帯型端末装置において、商品毎に個別に割り当てられた商品識別情報を取得する工程と、
前記携帯型端末装置において、当該携帯型端末装置のユーザ毎に個別に割り当てられたユーザ識別情報を取得する工程と、
前記携帯型端末装置において、前記取得された商品識別情報及びユーザ識別情報を、前記ネットワークを介して前記商品情報提供装置に対して送信する工程と、
前記商品情報提供装置において、前記携帯型端末装置から送信されてきた商品識別情報及びユーザ識別情報を受信する工程と、
前記商品情報提供装置において、各前記携帯型端末装置のユーザ毎のメモ情報が前記ユーザ識別情報に対応付けられて登録されているメモ情報データベースを検索して、前記受信された前記ユーザ識別情報に対応付けられたメモ情報中に、前記受信された商品識別情報に対応する商品の商品情報が含まれているか否かを判別する工程と、
前記商品情報提供装置において、前記商品情報が含まれていないと判別された場合には、複数種類の商品毎の商品情報が前記商品識別情報に対応付けられて登録されている商品情報データベースを検索して、前記受信された商品識別情報に対応する商品の商品情報を取得する工程と、
前記商品情報提供装置において、前記取得された商品情報を前記携帯型端末装置に対して送信する工程と、
前記携帯型端末装置において、前記商品情報提供装置から送信されてきた商品情報を受信する工程と、
前記携帯型端末装置において、前記受信された商品情報を表示する工程と、
前記携帯型端末装置において、ユーザからの、前記表示された商品情報の登録指示を入力する工程と、
前記携帯型端末装置において、前記商品情報の登録指示が入力された場合に、当該商品情報の登録要求を示す登録要求情報を前記商品情報提供装置に対して送信する工程と、
を備えることを特徴とする商品情報提供方法。
【請求項２１】
ユーザが利用するユーザ用端末装置及び商品の提供者が利用する提供者用端末装置がネットワークを介して接続可能な情報提供装置であって、
前記ユーザ用端末装置において取得された商品識別情報であって、商品に対して個別に割り当てられた商品識別情報に対応する商品情報と、当該ユーザに対して個別に割り当てられたユーザ識別情報と、を取得する商品情報取得手段と、
前記取得された商品情報を前記ユーザのメモ情報として、前記取得されたユーザ識別情報に対応付けて記憶する商品情報記憶手段と、
複数の前記ユーザ識別情報の夫々に対応付けられたメモ情報を取得し、これらのメモ情報に含まれる同じ商品毎にその数を集計し、夫々の商品毎に集計された集計数の順位を示すランキングを決定するランキング決定手段と、
前記決定されたランキングを示すランキング情報を表示可能に前記提供者用端末装置に対して提供する提供手段と、
を備えることを特徴とする情報提供装置。
【請求項２２】
請求項２１に記載の情報提供装置において、
前記商品情報取得手段は、前記商品識別情報を保持する媒体から当該商品識別情報と共に、当該媒体の種別を示す媒体情報を取得し、
前記商品情報記憶手段は、前記取得された媒体情報を前記ユーザのメモ情報として、前記取得されたユーザ識別情報に対応付けて記憶し、
前記ランキング決定手段は、前記メモ情報に含まれる同じ商品毎、且つ、前記媒体毎にその数を集計し、夫々の商品毎に集計された集計数の順位を示すランキングを決定することを特徴とする情報提供装置。
【請求項２３】
ユーザが利用するユーザ用端末装置及び商品の提供者が利用する提供者用端末装置がネットワークを介して接続可能な情報提供装置であって、
前記ユーザ用端末装置において取得された商品識別情報であって、商品に対して個別に割り当てられた商品識別情報に対応する商品情報と、当該ユーザに対して個別に割り当てられたユーザ識別情報と、を取得する商品情報取得手段と、
前記取得された商品情報を前記ユーザのメモ情報として、前記取得されたユーザ識別情報に対応付けて記憶する商品情報記憶手段と、
前記ユーザ用端末装置において入力された付加情報であって前記商品情報に対して付加する付加情報を取得する付加情報取得手段と、
前記取得された付加情報を、前記メモ情報として記憶された商品情報に対応付けて記憶する付加情報記憶手段と、
複数の前記ユーザ識別情報の夫々に対応付けられたメモ情報を取得し、当該メモ情報に含まれる商品情報及びこれに対応付けられた付加情報を、前記ユーザ識別情報別に表示可能に提供者用端末装置に対して提供する提供手段と、
を備えることを特徴とする情報提供装置。
【請求項２４】
ユーザが利用するユーザ用端末装置及び商品の提供者が利用する提供者用端末装置がネットワークを介して接続可能な情報提供装置であって、
商品を提供する店舗内で前記ユーザ用端末装置において取得された商品識別情報であって、商品に対して個別に割り当てられた商品識別情報に対応する商品情報と、当該商品識別情報が取得された前記店舗内における位置を示す位置情報と、当該ユーザに対して個別に割り当てられたユーザ識別情報と、を取得する商品情報取得手段と、
前記取得された商品情報及び位置情報を前記ユーザのメモ情報として、前記取得されたユーザ識別情報に対応付けて記憶する商品情報記憶手段と、
複数の前記ユーザ識別情報の夫々に対応付けられたメモ情報を取得し、当該メモ情報に含まれる位置情報に示された位置を時系列的に示す動線情報を、表示可能に提供者用端末装置に対して提供する提供手段と、
を備えることを特徴とする情報提供装置。
【請求項２５】
請求項２４に記載の情報提供装置において、
前記提供手段は、前記動線情報を、前記ユーザ識別情報別に表示可能に提供者用端末装置に対して提供することを特徴とする情報提供装置。
【請求項２６】
コンピュータを、請求項２１乃至２５の何れか一項に記載の情報提供装置として機能させることを特徴とする情報提供処理プログラム。
【発明の詳細な説明】
【技術分野】
【０００１】
本発明は、ユーザが利用する端末装置と、当該端末装置がネットワークを介して接続可能（通信可能）なユーザメモ管理装置、及び商品情報提供装置と、を備える商品情報提供システム及び方法等の技術分野に関する。
【背景技術】
【０００２】
多くの消費者（生活者）は、テレビ放送、雑誌、インターネット等の様々な媒体から提供される情報を参考にして、購入するべき、洋服、帽子、アクセサリ等の商品を決定している。そして、近年、消費者が、例えばパーソナルコンピュータや、インターネット上等で所望の商品を簡単に検索し、購入することができるようになっている。例えば、特許文献１には、電子カタログ用閲覧プログラムに関する技術が開示されている。このように検索された商品の情報は、例えばパーソナルコンピュータにおけるハードディスク等に記録して後から見たりすることができる。
【０００３】
一方で、多くの店舗が存在する百貨店やアウトレットモールなどでは、消費者は、一旦多くの店舗を歩いて回り、例えば商品陳列棚に並べられた商品や、その商品の販促ツールとしてのＰＯＰを見て、気になった商品及びその商品を販売する店舗を憶えておいて、後から、どの店舗のどの商品を購入するかを検討することも頻繁に行われている。
【特許文献１】特開２００３−２２８５６７号公報
【発明の開示】
【発明が解決しようとする課題】
【０００４】
しかしながら、あまりに気になった商品の数が多いと、商品の特徴や商品を販売している店舗の名称や場所等について憶えておけなかったりするという問題があった。なお、ここでの商品とは、洋服、食品、化粧品、家電、本、ＣＤ、ＤＶＤ、文房具等、通常店頭または、通販カタログ、インターネット等で販売されている商品を指し、特に限定のあるものではない。
【０００５】
また、有る程度は憶えていても、その商品の詳細情報、例えば、商品の価格や商品の仕様等についてまではっきりと憶えておくことは困難であり、その結果、多数の商品のうちからどの商品を購入するかの比較検討も曖昧となってしまうという問題があった。
【０００６】
また、商品のＰＯＰを見て商品に興味を引かれても、後々まで商品を憶えておくことは困難であった。
【０００７】
同様の事は、自宅においても生じ得る。例えば、消費者は、料理に必要な食材であって購入予定の食材を例えば冷蔵庫の扉に貼ってあるボードに記載しておいたとしても、実際に店舗に買いにいくと、その食材について忘れてしまうという問題があった。
【０００８】
また、消費者が例えばショッピングモール（様々な店舗が集まったエリア）等でショッピングを楽しむような場合も、非常に多くの商品があるため、気に入った商品を全て記憶しておくことは困難であり、更にその商品の詳細な情報やその商品に対する自らの評価、更には、商品を販売する店舗等を覚えておくことは極めて困難であるため、後から商品比較等をして購入を決定することは難しい。かといって、毎回、商品についての情報を手帳等にメモしておくことも煩わしい。
【０００９】
一方、商品を販売する店舗側においては、消費者がどのような商品について興味を持っているか（どのような商品に人気があるか）によって、商品販売戦略を立てたいが、それを正確に把握することは困難である。
【００１０】
本発明は、以上の点に鑑みてなされたものであり、消費者が憶えておく必要がある商品に関する商品情報等を、より適切かつ効果的に当該消費者に対して提示することが可能な商品情報提供システム、ユーザメモ管理装置及び端末装置等を提供することを課題とする。また、店頭で気になる商品の詳細な情報を迅速に取得して記憶しておき、後から容易に閲覧して活用することが可能な商品情報提供システム、商品情報提供装置、商品情報提供処理プログラム、及び商品情報提供方法等を提供することを課題とする。更に、店舗側で適切な商品の販売戦略を立てること等を支援することが可能な情報提供装置等を提供することを課題とする。
【課題を解決するための手段】
【００１１】
上記課題を解決するために、請求項１に記載の発明は、ユーザが利用する端末装置と、当該端末装置がネットワークを介して接続可能なユーザメモ管理装置と、を備える商品情報提供システムであって、前記ユーザメモ管理装置は、前記端末装置においてユーザにより指定された商品に関する商品情報と、当該ユーザに対して個別に割り当てられたユーザ識別情報と、を取得する商品情報取得手段と、前記取得された商品情報を前記ユーザのメモ情報として、前記取得されたユーザ識別情報に対応付けて記憶する商品情報記憶手段と、を備え、前記端末装置は、自己を利用するユーザの前記ユーザ識別情報に対応する前記記憶されたメモ情報を前記ユーザメモ管理装置から取得するメモ情報取得手段と、前記取得されたメモ情報を表示するメモ情報表示手段と、を備えることを特徴とする。
【００１２】
請求項２に記載の発明は、請求項１に記載の商品情報提供システムにおいて、前記ネットワークを介して前記ユーザメモ管理装置に接続可能な商品情報管理装置を更に備え、前記ユーザメモ管理装置の前記商品情報取得手段は、商品に対して個別に割り当てられた商品識別情報であって、前記端末装置により取得された商品識別情報に対応する前記商品情報を、前記商品情報管理装置から取得することを特徴とする。
【００１３】
請求項３に記載の発明は、請求項１又は２に記載の商品情報提供システムにおいて、前記端末装置の前記メモ情報取得手段は、前記メモ情報として記憶された複数の商品に関する商品情報のうち、同種類の商品に関する商品情報を前記ユーザメモ管理装置から取得し、前記端末装置の前記メモ情報表示手段は、前記取得された同種類の商品に関する商品情報を比較可能に表示することを特徴とする。
【００１４】
請求項４に記載の発明は、請求項１乃至３の何れか一項に記載の商品情報提供システムにおいて、商品を販売する店舗に設置され、かつ、前記端末装置との間で近距離無線通信を行う店舗端末装置を更に備え、前記端末装置は、前記店舗端末装置との間で近距離無線通信が確立した際に、前記ユーザメモ管理装置にメモ情報として記憶されている商品情報に係る商品についての問い合わせを前記店舗端末装置に対して行う商品問合せ手段を更に備え、前記店舗端末装置は、前記端末装置からの問い合わせに係る商品を検索する商品検索手段と、前記商品検索手段により問い合わせに係る商品が検索された場合には、少なくとも、当該商品に関する商品情報及び当該店舗に関する店舗情報を前記端末装置に対して送信する検索結果送信手段と、を備えることを特徴とする。
【００１５】
請求項５に記載の発明は、請求項１乃至３の何れか一項に記載の商品情報提供システムにおいて、前記端末装置は、自己の現在位置を示す現在位置情報を取得する現在位置情報取得手段と、前記取得された現在位置情報を、前記ユーザメモ管理装置に対して送信する現在位置情報送信手段と、を更に備え、前記ユーザメモ管理装置は、前記端末装置からの現在位置情報を受信する現在位置情報受信手段と、前記現在位置情報にて示された現在位置を基準とする所定範囲内に、前記メモ情報として記憶された商品情報に係る商品を取り扱っている店舗を検索する店舗検索手段と、前記店舗検索手段により前記商品を取り扱っている店舗が検索された場合には、少なくとも、当該商品に関する商品情報及び当該店舗に関する店舗情報を前記端末装置に対して送信する検索結果送信手段と、を更に備えることを特徴とする。
【００１６】
請求項６に記載の発明は、請求項１に記載の商品情報提供システムにおいて、前記ユーザが利用する端末装置として、前記ユーザの自宅に設置された第１端末装置と、前記ユーザが携帯する第２端末装置と、を備え、前記ユーザメモ管理装置の前記商品情報取得手段は、前記第１端末装置においてユーザにより指定された商品であってユーザが購入予定である商品に関する商品情報と、当該ユーザに対して個別に割り当てられたユーザ識別情報と、を取得し、前記第２端末装置のメモ情報取得手段は、自己を利用するユーザの前記ユーザ識別情報に対応する前記記憶されたメモ情報を前記ユーザメモ管理装置から取得することを特徴とする。
【００１７】
請求項７に記載の発明は、請求項１乃至６の何れか一項に記載の商品情報提供システムに含まれるユーザメモ管理装置であって、前記商品情報取得手段及び前記商品情報記憶手段を備えることを特徴とする。
【００１８】
請求項８に記載の発明は、請求項７に記載のユーザメモ管理装置に含まれるコンピュータを、前記商品情報取得手段及び前記商品情報記憶手段として機能させることを特徴とする。
【００１９】
請求項９に記載の発明は、請求項１乃至６の何れか一項に記載の商品情報提供システムに含まれる端末装置であって、前記メモ情報取得手段及び前記メモ情報表示手段を備えることを特徴とする。
【００２０】
請求項１０に記載の発明は、請求項９に記載の端末装置に含まれるコンピュータを、前記メモ情報取得手段及び前記メモ情報表示手段として機能させることを特徴とする。
【００２１】
請求項１１に記載の発明は、請求項２に記載の商品情報提供システムにおいて、前記商品情報は、例えば書籍等の商品の手書きＰＯＰデータであることを特徴とする。
【００２２】
請求項１２に記載の発明は、ユーザが利用する端末装置と、当該端末装置がネットワークを介して接続可能なユーザメモ管理装置と、を備える商品情報提供システムにおける商品情報提供方法であって、前記ユーザメモ管理装置が、前記端末装置においてユーザにより指定された商品に関する商品情報と、当該ユーザに対して個別に割り当てられたユーザ識別情報と、を取得し、当該取得された商品情報を前記ユーザのメモ情報として、前記取得されたユーザ識別情報に対応付けて記憶する工程と、前記端末装置が、自己を利用するユーザの前記ユーザ識別情報に対応する前記記憶されたメモ情報を前記ユーザメモ管理装置から取得し、当該取得されたメモ情報を表示する工程と、を備えることを特徴とする。
【００２３】
請求項１３に記載の発明は、複数の携帯型端末装置と、前記複数の携帯型端末装置とネットワークを介して通信可能な商品情報提供装置と、を備える商品情報提供システムにおいて、前記携帯型端末装置は、商品毎に個別に割り当てられた商品識別情報を取得する商品識別情報取得手段と、当該携帯型端末装置のユーザ毎に個別に割り当てられたユーザ識別情報を取得するユーザ識別情報取得手段と、前記取得された商品識別情報及びユーザ識別情報を、前記ネットワークを介して前記商品情報提供装置に対して送信する識別情報送信手段と、前記商品情報提供装置から送信されてきた商品情報を受信する商品情報受信手段と、前記受信された商品情報を表示する商品情報表示手段と、ユーザが前記表示された商品情報の登録指示を入力するための登録指示入力手段と、前記商品情報の登録指示が入力された場合に、当該商品情報の登録要求を示す登録要求情報を前記商品情報提供装置に対して送信する登録要求情報送信手段と、を備え、前記商品情報提供装置は、前記携帯型端末装置から送信されてきた商品識別情報及びユーザ識別情報を受信する識別情報受信手段と、各前記携帯型端末装置のユーザ毎のメモ情報が前記ユーザ識別情報に対応付けられて登録されているメモ情報データベースを検索して、前記受信された前記ユーザ識別情報に対応付けられたメモ情報中に、前記受信された商品識別情報に対応する商品の商品情報が含まれているか否かを判別する商品情報有無判別手段と、前記商品情報有無判別手段により商品情報が含まれていないと判別された場合には、複数種類の商品毎の商品情報が前記商品識別情報に対応付けられて登録されている商品情報データベースを検索して、前記受信された商品識別情報に対応する商品の商品情報を取得する商品情報取得手段と、前記取得された商品情報を前記携帯型端末装置に対して送信する商品情報送信手段と、前記携帯型端末装置から送信されてきた前記商品情報の登録要求を示す登録要求情報を受信する登録要求情報受信手段と、前記登録要求情報が受信された場合には、前記取得された商品情報をメモ情報として、前記受信されたユーザ識別情報に対応付けて前記メモ情報データベースに登録するメモ情報登録手段と、を備えることを特徴とする。
【００２４】
請求項１３に記載の発明によれば、携帯型端末装置が、商品毎に個別に割り当てられた商品識別情報及びユーザ毎に個別に割り当てられたユーザ識別情報を取得し、これらの情報をネットワークを介して商品情報提供装置に対して送信し、商品情報提供装置が、上記商品識別情報及びユーザ識別情報を受信しメモ情報データベースを検索して上記受信されたユーザ識別情報に対応付けられたメモ情報中に、上記受信された商品識別情報に対応する商品の商品情報が含まれていない場合、商品情報データベースを検索して上記受信された商品識別情報に対応する商品の商品情報を取得して携帯型端末装置に対して送信し、携帯型端末装置が上記商品情報を受信して表示し、ユーザからの商品情報の登録指示が入力された場合に、当該商品情報の登録要求を示す登録要求情報を前記商品情報提供装置に対して送信するように構成したので、携帯型端末装置のユーザは、店頭で気になる商品を発見した場合に、商品識別情報を入力するだけでその商品の詳細な情報を登録でき、後から容易に閲覧して活用することができる。
【００２５】
また、請求項１４に記載の発明は、請求項１３に記載の商品情報提供システムにおいて、前記商品情報有無判別手段により商品情報が含まれていると判別された場合には、前記商品情報提供装置の前記商品情報取得手段は、前記メモ情報データベースから当該商品情報を取得し、前記商品情報送信手段は、当該取得された商品情報を前記携帯型端末装置に対して送信することを特徴とする。
【００２６】
請求項１４に記載の発明によれば、ユーザは、店頭で気になる商品を発見した場合に、商品識別情報を入力するだけで、その商品について既にメモ情報として登録された商品情報の提供を受けることができる。
【００２７】
また、請求項１５に記載の発明は、請求項１３又は１４に記載の商品情報提供システムにおいて、前記携帯型端末装置は、前記表示された商品情報に対して付加する付加情報を入力するための付加情報入力手段と、前記入力された付加情報を前記商品情報提供装置に対して送信する付加情報送信手段と、を更に備え、前記商品情報提供装置は、前記携帯型端末装置から送信されてきた前記付加情報を受信する付加情報受信手段を更に備え、前記メモ情報登録手段は、前記取得された商品情報に対して前記受信された付加情報を付加して前記メモ情報データベースに登録することを特徴とする。
【００２８】
請求項１５に記載の発明によれば、ユーザは、店頭で気になる商品を発見した場合に、その商品の詳細な情報に付加情報を付加して登録することができるので、後からその商品について考察することができる。
【００２９】
また、請求項１６に記載の発明は、請求項１３乃至１５の何れか一項に記載の商品情報提供システムにおいて、前記商品情報提供装置は、前記メモ情報データベースに登録された商品情報に係る商品のお勧め情報を取得するお勧め情報取得手段と、前記取得されたお勧め情報を前記携帯型端末装置に対して送信するお勧め情報送信手段と、を更に備え、前記携帯型端末装置は、前記商品情報提供装置から送信されてきたお勧め情報を受信するお勧め情報受信手段と、前記受信されたお勧め情報を表示するお勧め情報表示手段と、を更に備えることを特徴とする。
【００３０】
請求項１６に記載の発明によれば、ユーザは、メモ情報として登録しておいた商品についての例えば店舗からのお勧め情報を携帯型端末装置上で見ることができるので、ユーザにとって利便性が極めて高く、店舗側にとっても、例えばユーザがメモ情報として登録はしたが未だ購入を決定していない商品について購入意欲を喚起させることができるので、極めて高い販促効果を期待することができる。
【００３１】
また、請求項１７に記載の発明は、請求項１３乃至１６の何れか一項に記載の商品情報提供システムにおいて、前記商品情報提供装置は、前記メモ情報データベースに登録された商品情報に係る商品の口コミ情報を取得する口コミ情報取得手段と、前記取得されたお勧め情報を前記携帯型端末装置に対して送信する口コミ情報送信手段と、を更に備え、前記携帯型端末装置は、前記商品情報提供装置から送信されてきた口コミ情報を受信する口コミ情報受信手段と、前記受信された口コミ情報を表示する口コミ情報表示手段と、を更に備えることを特徴とする。
【００３２】
請求項１７に記載の発明によれば、ユーザは、メモ情報として登録しておいた商品についての多くの人の口コミ情報を見て、当該商品を購入するか否かを決めることができるので、ユーザにとって利便性が極めて高い。
【００３３】
請求項１８に記載の発明は、請求項１３乃至１７の何れか一項に記載の商品情報提供システムに含まれる商品情報提供装置であって、前記識別情報受信手段、前記商品情報有無判別手段、前記商品情報取得手段、前記商品情報送信手段、前記登録要求情報受信手段、及び前記メモ情報登録手段を備えることを特徴とする。
【００３４】
また、請求項１９に記載の商品情報提供処理プログラムは、コンピュータを、請求項１８に記載の商品情報提供装置として機能させることを特徴とする。
【００３５】
また、請求項２０に記載の発明は、複数の携帯型端末装置と、前記複数の携帯型端末装置とネットワークを介して通信可能な商品情報提供装置と、を備える商品情報提供システムにおける商品情報提供方法であって、前記携帯型端末装置において、商品毎に個別に割り当てられた商品識別情報を取得する工程と、前記携帯型端末装置において、当該携帯型端末装置のユーザ毎に個別に割り当てられたユーザ識別情報を取得する工程と、前記携帯型端末装置において、前記取得された商品識別情報及びユーザ識別情報を、前記ネットワークを介して前記商品情報提供装置に対して送信する工程と、前記商品情報提供装置において、前記携帯型端末装置から送信されてきた商品識別情報及びユーザ識別情報を受信する工程と、前記商品情報提供装置において、各前記携帯型端末装置のユーザ毎のメモ情報が前記ユーザ識別情報に対応付けられて登録されているメモ情報データベースを検索して、前記受信された前記ユーザ識別情報に対応付けられたメモ情報中に、前記受信された商品識別情報に対応する商品の商品情報が含まれているか否かを判別する工程と、前記商品情報提供装置において、前記商品情報が含まれていないと判別された場合には、複数種類の商品毎の商品情報が前記商品識別情報に対応付けられて登録されている商品情報データベースを検索して、前記受信された商品識別情報に対応する商品の商品情報を取得する工程と、前記商品情報提供装置において、前記取得された商品情報を前記携帯型端末装置に対して送信する工程と、前記携帯型端末装置において、前記商品情報提供装置から送信されてきた商品情報を受信する工程と、前記携帯型端末装置において、前記受信された商品情報を表示する工程と、前記携帯型端末装置において、ユーザからの、前記表示された商品情報の登録指示を入力する工程と、前記携帯型端末装置において、前記商品情報の登録指示が入力された場合に、当該商品情報の登録要求を示す登録要求情報を前記商品情報提供装置に対して送信する工程と、を備えることを特徴とする。
【００３６】
請求項２１に記載の発明は、ユーザが利用するユーザ用端末装置及び商品の提供者が利用する提供者用端末装置がネットワークを介して接続可能な情報提供装置であって、前記ユーザ用端末装置において取得された商品識別情報であって、商品に対して個別に割り当てられた商品識別情報に対応する商品情報と、当該ユーザに対して個別に割り当てられたユーザ識別情報と、を取得する商品情報取得手段と、前記取得された商品情報を前記ユーザのメモ情報として、前記取得されたユーザ識別情報に対応付けて記憶する商品情報記憶手段と、複数の前記ユーザ識別情報の夫々に対応付けられたメモ情報を取得し、これらのメモ情報に含まれる同じ商品毎にその数を集計し、夫々の商品毎に集計された集計数の順位を示すランキングを決定するランキング決定手段と、前記決定されたランキングを示すランキング情報を表示可能に前記提供者用端末装置に対して提供する提供手段と、を備えることを特徴とする。
【００３７】
請求項２２に記載の発明は、請求項２１に記載の情報提供装置において、前記商品情報取得手段は、前記商品識別情報を保持する媒体から当該商品識別情報と共に、当該媒体の種別を示す媒体情報を取得し、前記商品情報記憶手段は、前記取得された媒体情報を前記ユーザのメモ情報として、前記取得されたユーザ識別情報に対応付けて記憶し、前記ランキング決定手段は、前記メモ情報に含まれる同じ商品毎、且つ、前記媒体毎にその数を集計し、夫々の商品毎に集計された集計数の順位を示すランキングを決定することを特徴とする。
【００３８】
請求項２３に記載の発明は、ユーザが利用するユーザ用端末装置及び商品の提供者が利用する提供者用端末装置がネットワークを介して接続可能な情報提供装置であって、前記ユーザ用端末装置において取得された商品識別情報であって、商品に対して個別に割り当てられた商品識別情報に対応する商品情報と、当該ユーザに対して個別に割り当てられたユーザ識別情報と、を取得する商品情報取得手段と、前記取得された商品情報を前記ユーザのメモ情報として、前記取得されたユーザ識別情報に対応付けて記憶する商品情報記憶手段と、前記ユーザ用端末装置において入力された付加情報であって前記商品情報に対して付加する付加情報を取得する付加情報取得手段と、前記取得された付加情報を、前記メモ情報として記憶された商品情報に対応付けて記憶する付加情報記憶手段と、複数の前記ユーザ識別情報の夫々に対応付けられたメモ情報を取得し、当該メモ情報に含まれる商品情報及びこれに対応付けられた付加情報を、前記ユーザ識別情報別に表示可能に提供者用端末装置に対して提供する提供手段と、を備えることを特徴とする。
【００３９】
請求項２４に記載の発明は、ユーザが利用するユーザ用端末装置及び商品の提供者が利用する提供者用端末装置がネットワークを介して接続可能な情報提供装置であって、商品を提供する店舗内で前記ユーザ用端末装置において取得された商品識別情報であって、商品に対して個別に割り当てられた商品識別情報に対応する商品情報と、当該商品識別情報が取得された前記店舗内における位置を示す位置情報と、当該ユーザに対して個別に割り当てられたユーザ識別情報と、を取得する商品情報取得手段と、前記取得された商品情報及び位置情報を前記ユーザのメモ情報として、前記取得されたユーザ識別情報に対応付けて記憶する商品情報記憶手段と、複数の前記ユーザ識別情報の夫々に対応付けられたメモ情報を取得し、当該メモ情報に含まれる位置情報に示された位置を時系列的に示す動線情報を、表示可能に提供者用端末装置に対して提供する提供手段と、を備えることを特徴とする。
【００４０】
請求項２５に記載の発明は、請求項２４に記載の情報提供装置において、前記提供手段は、前記動線情報を、前記ユーザ識別情報別に表示可能に提供者用端末装置に対して提供することを特徴とする。
【００４１】
請求項２６に記載の情報提供処理プログラムは、コンピュータを、請求項２１乃至２５の何れか一項に記載の情報提供装置として機能させることを特徴とする。
【発明の効果】
【００４２】
本発明によれば、ユーザメモ管理装置が、端末装置においてユーザにより指定された商品に関する商品情報と、当該ユーザに対して個別に割り当てられたユーザ識別情報と、を取得し、当該取得された商品情報を前記ユーザのメモ情報として、前記取得されたユーザ識別情報に対応付けて記憶しておき、端末装置が、自己を利用するユーザの前記ユーザ識別情報に対応する前記記憶されたメモ情報を前記ユーザメモ管理装置から取得し、当該取得されたメモ情報を表示するように構成したので、消費者（ユーザ）が憶えておく必要がある商品に関する商品情報等を、より適切かつ効果的に当該消費者に対して提示することができる。
【００４３】
また、携帯型端末装置が、商品毎に個別に割り当てられた商品識別情報及びユーザ毎に個別に割り当てられたユーザ識別情報を取得し、これらの情報をネットワークを介して商品情報提供装置に対して送信し、商品情報提供装置が、上記商品識別情報及びユーザ識別情報を受信しメモ情報データベースを検索して上記受信されたユーザ識別情報に対応付けられたメモ情報中に、上記受信された商品識別情報に対応する商品の商品情報が含まれていない場合、商品情報データベースを検索して上記受信された商品識別情報に対応する商品の商品情報を取得して携帯型端末装置に対して送信し、携帯型端末装置が上記商品情報を受信して表示し、ユーザからの商品情報の登録指示が入力された場合に、当該商品情報の登録要求を示す登録要求情報を前記商品情報提供装置に対して送信するように構成したので、携帯型端末装置のユーザは、店頭で気になる商品を発見した場合に、商品識別情報を入力するだけでその商品の詳細な情報を登録でき、後から容易に閲覧して活用することができる。
【００４４】
また、情報提供装置によれば、店舗側で適切な商品の販売戦略を立てること等を支援することができる。
【発明を実施するための最良の形態】
【００４５】
以下、本発明を実施するための最良の実施形態について、図面に基づいて説明する。
（第１実施形態）
先ず、図１等を参照して、本発明の第１実施形態に係る商品情報提供システムの構成及び機能について説明する。
【００４６】
図１は、第１実施形態に係る商品情報提供システムの全体構成例を示す図である。
【００４７】
図１に示すように、商品情報提供システムＳＸ１は、店舗端末装置としての店舗端末１Ｔと、商品情報管理装置としての商品情報管理サーバ２と、店舗情報管理装置としての店舗情報管理サーバ３と、端末装置（ユーザ用端末装置）としての携帯端末１と、ユーザメモ管理装置としてのユーザメモ管理サーバ６と、を備えて構成されている。商品情報管理サーバ２、店舗情報管理サーバ３及びユーザメモ管理サーバ６は、夫々ＩＰ（Internet Protocol）アドレスが割り当てられ、移動体通信網（無線基地局、交換局等を含む）及びインターネット等により構築されたネットワークＮＴに接続されており、相互にデータ通信が可能になっている。携帯端末１は、商品情報管理サーバ２、店舗情報管理サーバ３及びユーザメモ管理サーバ６の例えばＵＲＬ（Uniform Resource Locator）やＩＰアドレスを有しており、図示しない移動体通信網（無線基地局、交換局を含む）及びネットワークＮＴを介して商品情報管理サーバ２、店舗情報管理サーバ３又はユーザメモ管理サーバ６に接続可能になっている。また、店舗端末１Ｔは、例えばＬＡＮ（Local Area Network）等の専用回線７を介して商品情報管理サーバ２及び店舗情報管理サーバ３に接続されている。
【００４８】
店舗端末１Ｔは、商品を販売する店舗に設置されており、ＰＯＳ（Point Of Sale）機能を備えるコンピュータである。店舗端末１Ｔは、当該店舗で販売された商品の商品ＩＤ（商品に対して個別に割り当てられた商品識別情報）、商品の販売数等の情報を店舗情報管理サーバ３に対して専用回線７を介してリアルタイム又は定期的に送信するようになっている。
【００４９】
また、店舗端末１Ｔには、例えば公知のBluetoothに基づく近距離無線通信機能（例えば２．４ＧＨｚ帯のＩＳＭ（Industrial Scientific Medical）周波数帯域に帯域幅が１ＭＨｚのチャネルを７９個設定し、１秒間に１６００回チャネルを切り換える周波数ホッピング方式のスペクトラム拡散技術を採用して電子機器間で電波を送受信する機能）を有するＢＴ（Bluetooth）通信機器が接続されるようになっており、当該ＢＴ通信機器は、例えば店舗に近づいてくる顧客（ユーザ）の携帯端末１との間で近距離無線通信が可能な位置に設置されるようになっている。
【００５０】
なお、図１の例では、店舗端末１Ｔは、１つのみ示されているが、実際には複数の店舗毎に設置されることになる。また、店舗端末１Ｔの記憶部には、各店舗に対して個別に割り当てられた店舗識別情報としての店舗ＩＤが予め記憶されるようになっている。更に、店舗端末１Ｔには、ＧＰＳ衛星から送信された電波を、アンテナを介して受信し、現在位置（緯度と経度）を検出して、店舗端末１Ｔに送信するＧＰＳ（Global Positioning System）受信機が接続されており、当該位置情報は、店舗端末１Ｔから店舗情報管理サーバ３に店舗ＩＤ等と共に送信され、店舗情報として登録されるようになっている。
【００５１】
商品情報管理サーバ２は、各店舗において販売される商品に関する商品情報（例えば、商品ＩＤ、商品名、商品のメーカ名、商品分類、つまり商品カテゴリ（例えば、帽子、洋服、ズボン、メガネ、カバン等の分類）、商品の仕様（例えば、サイズ、色等）、商品の画像など）、商品の価格を、商品（商品ＩＤ）毎に管理するコンピュータであり、ＣＰＵ、ＲＡＭ、ＲＯＭを備える制御部、上記商品情報を含む各種情報を記憶する記憶部（例えば、ハードディスク等）、ネットワークＮＴ等を介して携帯端末１やユーザメモ管理サーバ６と通信、及び専用回線７を介して店舗端末１Ｔと通信を行うための通信部（例えば、通信機器、通信ポート等）を備えている。そして、制御部は、例えば、ＣＰＵが、ＲＯＭや記憶部に記憶されたプログラムを実行することにより、商品情報管理サーバ２における各構成要素を制御するようになっている。
【００５２】
店舗情報管理サーバ３は、商品を扱う（販売する）店舗の店舗情報（例えば、店舗ＩＤ、パスワード、店舗名、店舗の位置情報（経度、緯度）、店舗の地図画像、店舗の住所、更には、当該店舗で扱う商品の商品ＩＤ、その商品の販売価格、販売数及び在庫数等）を、店舗（店舗ＩＤ）毎に管理するコンピュータであり、ＣＰＵ、ＲＡＭ、ＲＯＭを備える制御部、上記商品情報を含む各種情報を記憶する記憶部（例えば、ハードディスク等）、ネットワークＮＴ等を介して携帯端末１やユーザメモ管理サーバ６と通信、及び専用回線７を介して店舗端末１Ｔと通信を行うための通信部（例えば、通信機器、通信ポート等）を備えている。そして、制御部は、例えば、ＣＰＵが、ＲＯＭや記憶部に記憶されたプログラムを実行することにより、店舗情報管理サーバ３における各構成要素を制御するようになっている。
【００５３】
携帯端末１は、ユーザが利用する携帯型のコンピュータであり、例えば、携帯型のパーソナルコンピュータ（ＰＣ）、ＰＤＡ（Personal Digital Assistant）、携帯電話機等を適用することができる。なお、本実施形態においては、携帯電話機を適用するものとする。
【００５４】
図２は、本実施形態に係る携帯端末１の概要構成例を示す図である。
【００５５】
図２に示すように、携帯端末１は、ＣＰＵ、ＲＡＭ、ＲＯＭを備える制御部１１、各種情報を記憶する記憶部（例えば、不揮発性メモリ等）４２、無線通信部１３、近距離無線通信部１４、ＧＰＳ受信部１５、情報読み取り部１６、表示部１７、及び操作部１８等を含んで構成されている。これらの各構成要素はバス１９を介して相互に接続されている。なお、携帯端末１は、図示を省略しているが、スピーカ及びマイクロフォンを備える。
【００５６】
制御部１１は、例えば、ＣＰＵが、ＲＯＭや記憶部１２に記憶されたプログラムを実行することにより、携帯端末１における各構成要素を制御すると共に、ブラウザ機能を有し、本発明のメモ情報取得手段、メモ情報表示手段、商品問合せ手段、現在位置情報取得手段、及び現在位置情報送信手段として機能するようになっている。なお、各手段の詳細については後述する。
【００５７】
無線通信部１３は、制御部１１の制御の下、アンテナ、移動体通信網及びネットワークＮＴを介して商品情報管理サーバ２、店舗情報管理サーバ３、又はユーザメモ管理サーバ６との間でデータ通信（送受信）を行うようになっている。
【００５８】
近距離無線通信部１４は、例えば公知のBluetoothに基づく近距離無線通信機能を有し、例えば店舗端末１Ｔに接続されたＢＴ通信機器との間で近距離無線通信が可能になっている。より具体的には、携帯端末１が、店舗端末１Ｔに接続されたＢＴ通信機器の半径１０ｍ以内に入ると、例えば店舗端末１Ｔに接続されたＢＴ通信機器が近距離無線通信部１４を認識（検知）し、お互いのＩＤを交換して確認した後、無線通信が確立し、制御部１１の制御の下、アンテナを介して、データの送受信が行われることになる。
【００５９】
ＧＰＳ受信機１５は、ＧＰＳ衛星から送信された電波を、アンテナを介して受信し、現在位置（緯度と経度）を検出して、制御部１１に対して出力するようになっている。これにより、制御部１１は、現在位置情報取得手段として、自己の現在位置を示す現在位置情報を取得することになる。
【００６０】
情報読み取り部１６は、例えば店舗内に陳列されている商品（例えば、洋服）に取り付けられたＩＣ（Integrated Circuit）タグに近づくと、当該ＩＣタグとの間で電波により交信し、ＩＣタグ内に記憶されている商品ＩＤ及び店舗ＩＤを読み取り、制御部１１に対して出力するようになっている。これにより、制御部１１は、商品ＩＤ及び店舗ＩＤを取得することになる。
【００６１】
なお、商品ＩＤ及び店舗ＩＤを取得する方法としては、この他にも、例えば、ユーザが、携帯端末１の操作部１８を操作して直接商品ＩＤ及び店舗ＩＤを入力するものであっても良い。また、情報読み取り部１６は、商品の値札等にバーコードとして印刷された商品ＩＤ等を読み取って、制御部１１に出力するように構成しても良い。また、情報読み取り部１６は、店舗から発行された会員ＤＭ（ダイレクトメール）に記述されたＱＲコードや、折り込みチラシに記載されたＱＲコード等を撮影して、制御部１１がそれに含まれる商品ＩＤ及び店舗ＩＤを取得するようにしても良い。
【００６２】
また、情報読み取り部１６は、現物の商品または、チラシ（折り込みチラシ）、雑誌、カタログに掲載されている商品を撮影するカメラであってもよい。この場合は以下のような仕組みで商品情報管理サーバ２から商品情報を取得できる。
【００６３】
例えば、ユーザが情報読み取り部１６で、商品を撮影して、撮影した商品画像データを商品ＩＤの代わりに、商品情報管理サーバ２に送信する。商品情報管理サーバ２の記憶部には、予め複数の商品画像データとその画像データのファイル名にひもづけられた商品情報を記憶して用意しておく。更に、商品情報管理サーバ２内に、ユーザが撮影した商品画像データに類似する画像データを検索する類似画像検索プログラムを用意しておき、商品情報管理サーバ２の制御部が類似画像検索プログラムを実行することにより、当該制御部は、ユーザが撮影した画像データが送信されてくると、類似する画像データの検索を行なう。そして、検索した結果、抽出された類似画像データにひもづけられた商品情報が、商品情報管理サーバ２から取得されてユーザメモ管理サーバ６に登録される。なお、撮影した商品画像データに類似する画像データを、商品情報管理サーバ２内から検索する手法としては、特に限定はないが、画像の特徴部分（色、形状等）を画像毎に画像インデックスとして商品情報管理サーバ２に予め用意しておき、ユーザが撮影した画像データが商品情報管理サーバ２に送信されてきたときに、撮影画像の特徴部分を算出して、画像インデックスと比較し、類似するものを選択する手法でもよい。
【００６４】
表示部１７は、例えば液晶パネルを有しており、制御部１１から指示された情報（例えば、後述するメモ情報）を表示するようになっている。
【００６５】
操作部１８は、ユーザが各種情報や指示を入力するための操作ボタンを有しており、当該操作ボタンが押下された場合には、当該操作ボタンに対応する指示信号が制御部１１に出力されるようになっている。
【００６６】
なお、図１の例では、携帯端末１は、１つのみ示されているが、実際には複数のユーザ毎に存在することになる。また、携帯端末１の記憶部１２には、携帯端末１を利用するユーザに対して個別に割り当てられたユーザ識別情報としてのユーザＩＤが予め記憶されるようになっている。なお、本実施形態においては、ユーザＩＤ内に電子メールアドレスを含むように構成するか、或いは、ユーザＩＤに電子メールアドレスが付加されるように構成する。これにより、ユーザメモ管理サーバ６は、ユーザＩＤに基づき、携帯端末１に対して各種情報を送信することができる。
【００６７】
ユーザメモ管理サーバ６は、ユーザが携帯端末１により取得した商品情報等を含むメモ情報をユーザ（ユーザＩＤ）毎に管理するコンピュータであり、ＣＰＵ、ＲＡＭ、ＲＯＭを備える制御部、上記メモ情報を含む各種情報を記憶する記憶部（例えば、ハードディスク等）、ネットワークＮＴを介して商品情報管理サーバ２、店舗情報管理サーバ３、又は携帯端末１と通信を行うための通信部（例えば、通信機器、通信ポート等）を備えている。そして、制御部は、例えば、ＣＰＵが、ＲＯＭや記憶部に記憶されたプログラムを実行することにより、ユーザメモ管理サーバ６における各構成要素を制御すると共に、本発明の商品情報取得手段、商品情報記憶手段、現在位置情報受信手段、店舗検索手段、及び検索結果送信手段として機能するようになっている。なお、各手段の詳細については後述する。
【００６８】
次に、以上の構成を有する商品情報提供システムＳにおける動作例について、実施例１〜実施例２に分けて説明する。
【００６９】
（実施例１）
実施例１では、図３乃至図６を参照して、携帯端末１を所持するユーザが、所望の商品に関する商品情報及び店舗情報をメモ情報としてユーザメモ管理サーバ６に登録し、登録されたメモ情報を利用する動作例について説明する。
【００７０】
図３は、実施例１に係る商品情報提供システムＳにおける情報処理の流れの一例を示すシーケンス図である。
【００７１】
先ず、携帯端末１を所持するユーザが、所望の商品を例えば店舗等で発見し、当該携帯端末１を、その商品に取り付けられたＩＣ（Integrated Circuit）タグに近づけると、その商品の商品ＩＤ及び当該店舗の店舗ＩＤが、当該携帯端末１の情報読み取り部１６により読み取られる（ステップＳ１）。
【００７２】
なお、商品カタログに記載されたバーコードから商品ＩＤが読み取られるように構成しても良い。また、携帯端末１は、必ずしもユーザが所有する端末装置でなくても良く、店舗で所有する端末装置（携帯型であるか否かを問わない）であっても良い（この場合、ユーザは、当該店舗の端末装置からユーザＩＤを入力する必要がある）。
【００７３】
また、店舗ＩＤは読み取られなくても良く、その場合には、商品ＩＤが店舗情報管理サーバ３に送信され、当該商品ＩＤに基づき、店舗情報が特定されることになる。
【００７４】
そして、携帯端末１は、読み取られた商品ＩＤを、無線通信部１３及びネットワークＮＴ等を介して商品情報管理サーバ２に送信すると共に、読み取られた店舗ＩＤを、無線通信部１３及びネットワークＮＴ等を介して店舗情報管理サーバ３に送信する（ステップＳ２）。
【００７５】
次に、商品情報管理サーバ２は、携帯端末１から送信されてきた商品ＩＤを受信し、例えば記憶部に構築された商品情報データベースから、当該商品ＩＤに対応する商品情報を検索、取得して、これらを、ネットワークＮＴ等を介して携帯端末１に送信（返信）する（ステップＳ３）。
【００７６】
一方、店舗情報管理サーバ３は、携帯端末１から送信されてきた店舗ＩＤを受信し、例えば記憶部に構築された店舗情報データベースから、当該店舗ＩＤに対応する店舗情報を、検索、取得して、これらを、ネットワークＮＴ等を介して携帯端末１に送信（返信）する（ステップＳ４）。
【００７７】
次に、携帯端末１は、商品情報管理サーバ２から送信されてきた商品情報と、店舗情報管理サーバ３から送信されてきた店舗情報を夫々受信し、商品情報及び店舗情報から表示すべき情報を抽出して、抽出された情報を表示部１７の表示画面上に表示する（ステップＳ５）。
【００７８】
こうして、表示部１７の表示画面上には、ユーザが所望する（商品ＩＤに対応する）商品の名称、仕様、画像等の商品情報、及び、その商品を取り扱う店舗（店舗ＩＤに対応する）の店舗名、店舗の住所、当該店舗で扱う上記商品（商品ＩＤに対応する）の販売価格、在庫状況（在庫数）等の店舗情報が表示されることになり、ユーザが、当該商品の商品情報及び店舗情報をメモとして残したい場合、携帯端末１の操作部１８を操作してメモ保存指示を入力すると、携帯端末１の制御部１１は、これに応じ、上記商品ＩＤ及びこれに対応する商品情報と、上記店舗ＩＤ及びこれに対応する店舗情報と、当該携帯端末１の記憶部１２に記憶されているユーザＩＤと、上記商品ＩＤの取得媒体（例えば、ＩＣタグ、カタログ、チラシ（折り込みチラシ、値札、会員ＤＭ（ダイレクトメール）等）を示す媒体情報と、をネットワークＮＴ等を介してユーザメモ管理サーバ６に送信する（ステップＳ６）。なお、ユーザが携帯端末１の操作部１８を操作してメモ保存指示を入力する際に、当該商品に対するユーザのコメント（例えば、この商品のデザインを気に入った等）を操作部１８を入力して、上記商品情報に含めるように構成しても良い。
【００７９】
次に、ユーザメモ管理サーバ６は、携帯端末１から送信されてきた商品情報、店舗情報、ユーザＩＤ、及び媒体情報と受信、つまり、ユーザメモ管理サーバ６の制御部は、商品情報取得手段として、携帯端末１においてユーザにより指定された商品に関する商品情報と、店舗情報と、当該ユーザＩＤと、媒体情報と、を取得する（ステップＳ７）。そして、ユーザメモ管理サーバ６の制御部は、商品情報記憶手段として、上記取得された商品情報、店舗情報、及び媒体情報、並びにその時の日時等を、当該ユーザのメモ情報として、上記取得されたユーザＩＤに対応付けて記憶部に構築されたメモ情報データベースに記憶する（ステップＳ８）。
【００８０】
このように、ユーザは、多数の店舗において発見した商品の商品情報等を、携帯端末１を用いて、メモ情報としてユーザメモ管理サーバ６に登録していくことになる。
【００８１】
そして、ユーザは、登録されたメモ情報を後から携帯端末１から参照したい場合、操作部１８を操作してメモ参照指示を入力すると、制御部１１は、これに応じ、上記ユーザＩＤを含むメモ情報要求情報を、ネットワークＮＴ等を介してユーザメモ管理サーバ６に送信する（ステップＳ９）。
【００８２】
次に、ユーザメモ管理サーバ６は、携帯端末１から送信されてきたメモ情報要求情報を受信すると、これに含まれるユーザＩＤに対応するメモ情報（商品情報及び店舗情報を含む）、メモ情報データベースから検索、取得して、これらをネットワークＮＴ等を介して携帯端末１に送信（返信）する（ステップＳ１０）。
【００８３】
次に、携帯端末１の制御部１１は、ユーザメモ管理サーバ６から送信されてきたメモ情報を受信、メモ情報取得手段として取得し、メモ情報表示手段として、表示部１７の表示画面上に例えば種々の形式で表示する（ステップＳ１１）。
【００８４】
図４は、メモ情報に含まれる同種類の商品の商品情報がリスト形式で表示された例を示す図である。図４（Ａ）の例では、様々な店舗において取得された複数の商品（ここでは、洋服）の名称リストとしてのメモリスト５５が表示されている。このような表示状態において、ユーザが、操作部１８を操作してメモリスト５５中の何れかの商品を選択すると、その商品の商品情報及び店舗情報が、図４（Ｂ）に示すように表示されることになる。これにより、ユーザは、様々な店舗で取得した購入候補の商品の商品情報等を簡単に確認することができる。なお、このようなメモリストの基になるメモリストデータは、ユーザメモ管理サーバ６で生成されるように構成しても良いし、携帯端末１で生成されるように構成しても良い。
【００８５】
一方、図５及び図６は、メモ情報に含まれる同種類の商品の商品情報が比較可能に表示された例を示す図である。
【００８６】
図５（Ａ）の例では、様々な店舗において取得された複数の商品の商品情報がサムネイル形式で表示されており、図５（Ｂ）の例では、様々な店舗において取得された複数の商品の商品情報がスライド形式で表示可能になっている（操作部１８が操作される毎に商品情報が切り替わる）。これにより、ユーザは、様々な店舗で取得した購入候補の商品の商品情報に基づき、そのデザイン、価格、サイズ等を簡単に比較することができる。なお、上記サムネイル形式の表示データは、ユーザメモ管理サーバ６で生成されるように構成しても良いし、携帯端末１で生成されるように構成しても良い。
【００８７】
図６の例では、様々な店舗において取得された複数の商品の商品情報が、人の部位（人の頭部、胴部、脚部、足部）毎に区別されてモンタージュ形式で表示されており、各部位毎に、商品情報がスライド形式で表示可能になっている（操作部１８で何れかの部位を選択して、操作部１８が操作される毎に商品情報が切り替わる）。これにより、ユーザは、様々な店舗で取得した購入候補の商品の商品情報に基づき、人の部位毎に、そのデザイン、価格、サイズ等をより効果的に比較することができる。
【００８８】
なお、上記モンタージュ形式の表示データは、ユーザメモ管理サーバ６で生成されるように構成しても良いし、携帯端末１で生成されるように構成しても良い。
【００８９】
また、ユーザが洋服の特徴部分を携帯端末１等で見られるように構成してもよい。当該特徴部分は、洋服の襟、袖、ボタン等であり、ユーザがこの特徴部分を見ることによって、ユーザが自分の好みかを判断できる。ユーザが当該特徴部分を参照できるように、商品情報管理サーバ２に、洋服毎に特徴部分の画像データを格納してもよい。また、洋服の高精細画像データを格納しておけば、ユーザが、ユーザが使用している携帯端末１上で高精細画像を拡大して特徴部分を参照することができる。
【００９０】
また、ユーザが店舗で試着した姿も一緒にカメラで撮影して商品ＩＤと共にユーザメモ管理サーバ６に送信し、当該サーバ５内に保存しておくことによって、ユーザが商品メモから商品を選択するときの参考とすることができる。
【００９１】
また、ユーザが、自己の携帯端末１で商品を確認する場合もあるが、店舗などで友人と商品を見比べてみたい場合もある。例として、デパート、喫茶店等の店舗のディスプレイ用端末を用意しておき、ユーザがそのディスプレイ用の端末から、ユーザメモ管理サーバ６にアクセスして、その端末で商品を上記のようなサムネイル形式で表示をしてもよい。
【００９２】
また、例えば、「通勤用」、「カジュアル用」、「勝負服用」、「フォーマル用」等に商品（例えば、洋服）のメモ情報を分類しておけば、ユーザは即座に必要な商品情報を引き出すことができる。
【００９３】
また、ユーザが既に購入している商品については、ユーザメモ管理サーバ６に記録されているユーザの商品のメモ情報に個人所有フラグを立てておけば、購入済みのもとのそうでないものを分類して記録しておくことができる。
【００９４】
なお、このように携帯端末１に表示された商品情報のうち、ユーザが操作部１８を操作して購入する商品情報を指定する（購入ボタンを押す）と、携帯端末１は、当該商品の商品ＩＤ、ユーザＩＤ、及び店舗ＩＤが含まれる商品購入要求情報を、ネットワークＮＴ等を介して店舗情報管理サーバ３に送信する（ステップＳ１２）。そして、店舗情報管理サーバ３は、受信した商品購入要求情報に含まれる店舗ＩＤに対応する店舗を特定し、その店舗の店舗端末１Ｔに、上記商品購入要求情報を送信（転送）する（ステップＳ１３）。これにより、ユーザは、容易に所望の商品をその店舗から購入することができる。また、このとき、携帯端末１は、モバイルサイトと連動して決済が可能となる。
【００９５】
このようにして商品が購入された（例えば、上記商品購入要求情報が送信された）場合には、当該商品に係る商品情報に対して、購入されたことを示す購入情報が付加される（或いは、ユーザの所持品リストに当該商品の商品情報が登録される）ことになる。そして、購入されたことを示す購入情報が付加された商品の商品情報を、未購入の商品の商品情報と共に比較可能に（例えば図５や図６に示すように）表示部１７の表示画面上で表示するように構成しても良く、このように構成すれば、ユーザは、気になった商品（例えば、洋服）と、自宅にある商品（例えば、靴）との組み合わせを検討することが可能となる。
【００９６】
また、ユーザの自宅端末で動作するカレンダーソフトウエアを用意しておき、そのカレンダーソフトウエアと商品のメモ情報を連動させることによって、例えば、ユーザが着用した洋服を、カレンダーに登録しておけば、いつ何を着ていたかが把握できる。これによって、これまで着用していた洋服がわかり、コーディネートがし易くなる。
【００９７】
また、変形例として、例えば、複数の人の顔写真（例えば、お見合い写真）画像（データ）を商品情報として商品情報管理サーバ２の商品情報（顔写真画像）データベースに登録しておいても良い。この場合、ユーザが気に入った人の顔写真（実際の人、雑誌等）を例えば携帯端末１に備えられたカメラで撮影、取得して、当該顔写真画像（データ）及びユーザＩＤをネットワークＮＴ等を介して商品情報管理サーバ２に送信する。そして、商品情報管理サーバ２は、携帯端末１から送信されてきた顔写真画像及びユーザＩＤを受信し、当該顔写真画像と、顔写真画像データベースに登録されている複数の顔写真画像とを比較し、ユーザにより撮影された顔写真画像と類似（例えば、公知の画像処理で特徴部分を抽出して一致度が所定範囲にある場合類似と判定）する複数の顔写真画像を、顔写真画像データベースから抽出して、ネットワークＮＴ等を介して携帯端末１に送信（返信）する。そして、携帯端末１は、商品情報管理サーバ２から送信されてきた複数の顔写真画像を受信し、選択可能に表示部１７の表示画面上に表示し、ユーザにより操作部１８を介して選択された顔写真画像とユーザＩＤを、ネットワークＮＴ等を介してユーザメモ管理サーバ６に送信する。そして、ユーザメモ管理サーバ６は、携帯端末１から送信されてきた顔写真画像とユーザＩＤを受信し、当該ユーザのメモ情報として、ユーザＩＤに対応付けて記憶部に構築されたメモ情報データベースに記憶する。これにより、ユーザは、お気に入りの顔写真画像を後から見ることができる。
【００９８】
（実施例２）
実施例２では、図７乃至図９等を参照して、ユーザメモ管理サーバ６に登録されたメモ情報が利用されて、ユーザの携帯端末１に、商品又は店舗のお知らせが通知される動作例について説明する。
【００９９】
図７乃至図９は、実施例２に係る商品情報提供システムＳにおける情報処理の流れの一例を示すシーケンス図である。
【０１００】
先ず、図７の動作例について説明する。図７の例において、例えば携帯端末１を所持するユーザが、例えば商店街にある店舗に近づくと、その店舗に設置された店舗端末１Ｔに接続されたＢＴ通信機器が携帯端末１を認識（検知）し、店舗端末１Ｔと携帯端末１との近距離無線通信が確立する（ステップＳ２１）。
【０１０１】
店舗端末１Ｔとの間で近距離無線通信が確立すると、携帯端末１は、当該携帯端末１の記憶部１２に記憶されているユーザＩＤを含むメモ情報要求情報を、ネットワークＮＴ等を介してユーザメモ管理サーバ６に送信する（ステップＳ２２）。
【０１０２】
次に、ユーザメモ管理サーバ６は、携帯端末１から送信されてきたメモ情報要求情報を受信すると、これに含まれるユーザＩＤに対応するメモ情報をメモ情報データベースから検索、取得して、これを、ネットワークＮＴ等を介して携帯端末１に送信（返信）する（ステップＳ２３）。なお、ユーザメモ管理サーバ６は、メモ情報に含まれる商品ＩＤのみを携帯端末１に送信（返信）するように構成しても良い。
【０１０３】
次に、携帯端末１は、ユーザメモ管理サーバ６から送信されてきたメモ情報を受信、取得し、当該メモ情報から商品ＩＤを抽出して、制御部１１が商品問合せ手段として、当該抽出された商品ＩＤを含む商品問合せ情報を、近距離無線通信部１４等を介して店舗端末１Ｔに近距離無線通信により送信する（ステップＳ２４）。つまり、携帯端末１は、メモ情報として記憶されている商品情報に係る商品についての問い合わせを店舗端末１Ｔに対して行うのである。
【０１０４】
次に、店舗端末１Ｔは、携帯端末１から送信されてきた商品問合せ情報を受信すると、制御部が商品検索手段として、携帯端末１からの問い合わせに係る商品を検索する（ステップＳ２５）。より具体的には、店舗端末１Ｔは、商品問合せ情報に含まれる商品ＩＤに対応する商品を扱っており、在庫があるか否かを検索する。当該検索に当たって、店舗端末１Ｔは、店舗情報管理サーバ３に対して当該商品の在庫数等を問い合わせるように構成しても良い。
【０１０５】
そして、問い合わせに係る商品が検索された場合には、店舗端末１Ｔの制御部は、検索結果送信手段として、検索された商品の商品ＩＤに対応する商品情報及び当該店舗に関する店舗情報を、近距離無線通信により携帯端末１に送信する（ステップＳ２６）。
【０１０６】
次に、携帯端末１は、店舗端末１Ｔから送信されてきた商品情報及び店舗情報を受信、取得し、これらの情報から表示すべき情報を抽出して、表示用の商品のお知らせデータを生成し、これを表示部１７の表示画面上に表示する（ステップＳ２７）。
【０１０７】
図１０（Ａ）は、こうして携帯端末１上に表示された商品のお知らせ画面例を示す図である。図１０（Ａ）の例では、ユーザがメモした商品が販売されている旨、及びその商品の名称、価格、画像等の商品情報、更には、その商品を販売する店舗の名称、住所、電話番号等の店舗情報が表示されている。これにより、ユーザが、過去にメモした商品を販売している店舗を通りかかった際に、そのユーザが所持している携帯端末１にその商品のお知らせが通知されるので、ユーザにとっては極めて効率良く所望の商品を販売する店舗を把握することができ、店舗にとっては極めて効果的に商品の販売促進を行うことができる。
【０１０８】
なお、ステップＳ２７において、商品のお知らせ画面を表示すると共に、携帯端末１から音（例えば、着信メロディ）を発したり、携帯端末１を振動させるように構成しても良く、このように構成すれば、より一層、効果的にユーザに対して商品のお知らせを認識させることができる。
【０１０９】
次に、図８の動作例について説明する。図８の例において、携帯端末１におけるＧＰＳ受信機１５が現在位置（緯度と経度）を常時検出して、制御部１１に出力することにより、当該制御部１１は、現在位置情報取得手段として、自己の現在位置を示す現在位置情報を取得する（ステップＳ３１）。
【０１１０】
次に、携帯端末１の制御部１１は、定期的に（例えば、数十秒毎に）、又は操作部１８を介してユーザからの指示があった場合に、現在位置情報送信手段として、上記取得された現在位置情報、及びユーザＩＤを、ネットワークＮＴ等を介してユーザメモ管理サーバ６に送信する（ステップＳ３２）。
【０１１１】
次に、ユーザメモ管理サーバ６の制御部は、現在位置情報受信手段として、携帯端末１から送信されてきた現在位置情報及びユーザＩＤを受信すると、当該ユーザＩＤに対応するメモ情報をメモ情報データベースから検索、取得し、店舗検索手段として、受信された現在位置情報にて示された現在位置を基準とする所定範囲（例えば、半径１００ｍのエリア）内に、当該メモ情報に含まれる商品を扱う店舗が存在するか否かを、メモ情報に含まれる店舗の位置情報を参照することによって判別し、メモ情報として記憶された商品情報に係る商品を取り扱っている店舗を検索する（ステップＳ３３）。なお、メモ情報データベースに商品情報がメモ情報として記憶されているが、店舗情報が記憶されていない場合には、ユーザメモ管理サーバ６は、店舗情報管理サーバ３からメモ情報として記憶された商品を取り扱う店舗の店舗情報を取得するように構成しても良い。
【０１１２】
そして、商品を取り扱っている店舗が検索された場合には、ユーザメモ管理サーバ６の制御部は、検索結果送信手段として、検索された店舗の店舗情報及びそこで扱われる商品の商品情報を、ネットワークＮＴ等を介して携帯端末１に送信する（ステップＳ３４）。
【０１１３】
次に、携帯端末１は、店舗端末１Ｔから送信されてきた店舗情報及び商品情報を受信、取得し、これらの情報から表示すべき情報を抽出して、表示用の商品のお知らせデータを生成し、これを表示部１７の表示画面上に表示する（ステップＳ３５）。
【０１１４】
図１０（Ｂ）は、こうして携帯端末１上に表示された商品のお知らせ画面例を示す図である。図１０（Ｂ）の例では、ユーザがメモした商品を扱っている店舗が近くにある旨、及びその商品の名称、価格、画像等の商品情報、更には、その商品を販売する店舗の名称、住所、電話番号等の店舗情報が表示されている。これにより、ユーザが、過去にメモした商品を取り扱っている店舗の近く来た際に、そのユーザが所持している携帯端末１にその商品のお知らせが通知されるので、ユーザにとっては極めて効率良く所望の商品を販売する店舗を把握することができ、店舗にとっては極めて効果的に商品の販売促進を行うことができる。
【０１１５】
なお、ステップＳ３５において、商品のお知らせ画面を表示すると共に、携帯端末１から音（例えば、着信メロディ）を発したり、携帯端末１を振動させるように構成しても良く、このように構成すれば、より一層、効果的にユーザに対して商品のお知らせを認識させることができる。更に、例えば、ユーザが、図１０（Ｂ）に示す地図案内６１を操作部１８を操作して選択すると、携帯端末１の制御部１１が、これに応じ、上記店舗まで道案内する（例えば、例えばナビゲーション機能により現在位置から当該店舗の位置までの経路誘導を行う）ための表示若しくは音声出力するように構成しても良い。
【０１１６】
次に、図９の動作例について説明する。その前提として、携帯端末１の記憶部１２には、ユーザによって、お気に入りとして登録された店舗（以下、「お気に入り店舗（所望の店舗）」という）の店舗ＩＤ及び店舗の位置情報が記憶されている。なお、お気に入り店舗の店舗ＩＤ及び位置情報は、例えば、携帯端末１が店舗端末１Ｔと無線通信を行った際に取得して、ユーザによる操作部１８の指示に従って記憶されることになる。
【０１１７】
携帯端末１におけるＧＰＳ受信機１５が現在位置（緯度と経度）を常時検出して、制御部１１に出力することにより、当該制御部１１は、自己の現在位置を示す現在位置情報を取得する（ステップＳ４１）。
【０１１８】
次に、携帯端末１は、記憶部１２に記憶されたお気に入り店舗の位置情報に係る位置と、上記取得された現在位置情報に示された現在位置とを比較して（ステップＳ４２）、携帯端末１と当該店舗との距離が所定距離（例えば、１００ｍ）内にある場合には、お気に入り店舗の店舗ＩＤ、及びユーザＩＤを、ネットワークＮＴ等を介してユーザメモ管理サーバ６に送信する（ステップＳ４３）。
【０１１９】
次に、ユーザメモ管理サーバ６は、携帯端末１から送信されてきた店舗ＩＤ及びユーザＩＤを受信すると、当該ユーザＩＤに対応するメモ情報をメモ情報データベースから検索、取得し、受信された店舗ＩＤがメモ情報に含まれているか否かを判別し、含まれている場合には、当該店舗ＩＤに対応する店舗情報を取得して、これを、ネットワークＮＴ等を介して携帯端末１に送信する（ステップＳ４４）。
【０１２０】
次に、携帯端末１は、店舗端末１Ｔから送信されてきた店舗情報を受信、取得し、これらの情報から表示すべき情報を抽出して、表示用の店舗のお知らせデータを生成し、これを表示部１７の表示画面上に表示する（ステップＳ４５）。
【０１２１】
図１０（Ｃ）は、こうして携帯端末１上に表示された店舗のお知らせ画面例を示す図である。図１０（Ｃ）の例では、ユーザがメモした店舗が近くにある旨、及びその店舗の名称、住所、電話番号等の店舗情報が表示されている。これにより、ユーザが、過去にメモした店舗の近く来た際に、そのユーザが所持している携帯端末１にその店舗のお知らせが通知されるので、ユーザにとっては極めて効率良く所望の店舗を把握することができ、店舗にとっては極めて効果的に商品の販売促進を行うことができる。
【０１２２】
なお、ステップＳ４５おいて、店舗のお知らせ画面を表示すると共に、携帯端末１から音（例えば、着信メロディ）を発したり、携帯端末１を振動させるように構成しても良く、このように構成すれば、より一層、効果的にユーザに対して店舗のお知らせを認識させることができる。更に、例えば、ユーザが、図１０（Ｃ）に示す地図表示６２を操作部１８を操作して選択すると、携帯端末１の制御部１１が、これに応じ、上記店舗付近の地図表示をするように構成しても良い。
【０１２３】
以上説明したように、上記第１実施形態によれば、携帯端末１等により取得された商品ＩＤに対応する商品に関する商品情報、及びその商品を販売する店舗の店舗情報を、ユーザが憶えておく必要があるメモ情報としてユーザメモ管理サーバ６に記憶しておき、当該メモ情報を、ユーザが必要なときに、携帯端末１を通じて、より適切かつ効果的にユーザに対して提示するようにしたので、ユーザは、複数の店舗で発見した商品について、後から、詳細に比較検討し、最も気に入った商品を効率良く決めることができる。また、その際に、その商品を扱う店舗の場所や、当該商品の在庫の有無を確認することができる。
【０１２４】
更に、ユーザメモ管理サーバ６に記憶しておいたメモ情報に含まれる商品情報に係る商品や店舗情報に係る店舗についてのお知らせが、ユーザの携帯端末１により効果的に通知されるので、ユーザにとっては極めて効率良く所望の商品や店舗を把握することができ、店舗にとっては極めて効果的に商品の販売促進を行うことができる。
【０１２５】
消費者（ユーザ）が憶えておく必要がある商品に関する商品情報等を、より適切かつ効果的に当該消費者に対して提示することができる。
【０１２６】
なお、ユーザメモ管理サーバ６に記憶しておいたメモ情報は、上記第１実施形態において説明した以外にも効果的に利用することが可能である。
【０１２７】
例えば、ユーザメモ管理サーバ６には、複数のユーザのメモ情報が、ユーザＩＤに対応付けられて記憶されているが、ユーザメモ管理サーバ６は、あるユーザのメモ情報に含まれる商品情報に係る商品のお知らせ情報（例えば、入荷情報、関連商品の情報、割引情報など）を、当該ユーザの携帯端末１に対して送信するように構成しても良い。
【０１２８】
また、ユーザメモ管理サーバ６は、例えば、あるユーザのメモ情報に含まれる商品情報に係る商品の種類（カテゴリ）別に統計をとり、メモ情報として最も多く登録されている商品（つまり、そのユーザが興味を持っている商品）の種類（例えば明るい色の洋服）に関する新商品の情報を、当該ユーザの携帯端末１に対して送信するように構成してもよい。このような構成によれば、ユーザにとって最も好ましい商品情報を提供することができる。商品の種類に関する新商品の情報を、ユーザの携帯端末１に対して提供することについての詳細は、第９実施形態において詳しく説明する。
【０１２９】
また、ユーザメモ管理サーバ６は、夫々のユーザのメモ情報に含まれる商品情報に係る商品についての統計をとり、最も多く登録されている商品（つまり、複数のユーザが興味を持っている商品）の情報を、例えば登録された店舗端末に対して送信するように構成してもよい。このような構成によれば、各店舗は、どのような商品が人気が高いかを把握することができるので、人気が高い商品を、もっと目立つところに陳列するような対応を図ることができる。メモ情報に含まれる商品情報に係る商品についての統計をとり、最も多く登録されている商品の情報を、例えば店舗端末に対して提供することについての詳細は、第８実施形態において詳しく説明する。
【０１３０】
また、商品を掲載した媒体を特定するための情報（紙媒体のチラシであれば、チラシ名、地域、年月日、雑誌であれば、雑誌名、発行日等、その商品を掲載した媒体を特定できる情報であれば特に限定しない。）を、商品ＩＤに付加しておけば、ユーザが商品ＩＤを取得したときに、商品ＩＤと共に媒体情報を得ることが可能である。このような仕組みにすることによって、ユーザメモ管理サーバ６は、夫々のユーザのメモ情報に含まれる商品情報に係る商品の媒体情報についての統計をとり、最も多い媒体情報を、例えば登録された店舗端末に対して送信するように構成してもよい。このような構成によれば、各店舗は、どの取得媒体（例えば、ＩＣタグ、カタログ、チラシ、値札等）から商品ＩＤが取得されたかを把握することができるので、例えば、チラシから取得されていることが多ければ、週１回発行のチラシを週２回発行するという対応を図ることができる。
【０１３１】
メモ情報に含まれる商品情報に係る商品の媒体情報についての統計をとり、最も多い媒体情報を、例えば店舗端末に対して提供することについての詳細は、第８実施形態において詳しく説明する。
【０１３２】
また、例えば、百貨店やアウトレットモールのインフォメーションセンターの端末や売り場案内ボードに、ユーザが携帯端末１をかざすと、例えば、近距離無線通信が開始され、携帯端末１はメモ情報として登録された商品情報に係る商品の商品ＩＤを上記端末に送信し、これに対して上記端末は商品ＩＤに対応する商品の売り場までの案内情報を検索しこれを携帯端末１に送信して表示させるように構成しても良い。このような構成によれば、ユーザは、迅速に所望の商品の売り場まで行き着くことができる。
【０１３３】
また、携帯端末１から例えば友人や家族などの携帯端末に対して、メモ情報に含まれる商品情報及びユーザＩＤをお勧めとして送信可能にし、当該お勧めされた商品が友人や家族によって購入された場合には、商品情報及びユーザＩＤが店舗の店舗端末に入力され、当該店舗端末からお勧めしたユーザの携帯端末１に対して報酬情報（例えば、割引ポイント）が送信されるように構成しても良い。
（第２実施形態）
次に、図１１等を参照して、本発明の第２実施形態に係る商品情報提供システムの構成及び機能について説明する。
【０１３４】
図１１は、第２実施形態に係る商品情報提供システムの全体構成例を示す図である。
【０１３５】
図１１に示すように、第２実施形態に係る商品情報提供システムＳＸ２は、商品情報管理サーバ２と、店舗情報管理サーバ３と、携帯端末１と、ユーザメモ管理サーバ６と、ユーザの自宅に設置された冷蔵庫に取り付けられた端末装置としての入力ボード装置８と、を備えて構成されている。なお、第２実施形態においては、入力ボード装置８が第１端末装置に対応し、携帯端末１は第２端末装置に対応する。
【０１３６】
商品情報管理サーバ２、店舗情報管理サーバ３、ユーザメモ管理サーバ６及び入力ボード装置８は、夫々ＩＰアドレスが割り当てられ、ネットワークＮＴに接続されており、相互にデータ通信が可能になっている。携帯端末１は、商品情報管理サーバ２、店舗情報管理サーバ３及びユーザメモ管理サーバ６の例えばＵＲＬ（Uniform Resource Locator）やＩＰアドレスを有しており、ネットワークＮＴを介して商品情報管理サーバ２、店舗情報管理サーバ３及びユーザメモ管理サーバ６に接続可能になっている。
【０１３７】
なお、第２実施形態において、上記第１実施形態と同様の構成部分については、同一の符号を付しており、重複する説明は省略するものとする。
【０１３８】
入力ボード装置８は、例えばタブレットパソコン（薄型のペン入力式携帯コンピュータ）を主体として構成されており、ＣＰＵ、ＲＡＭ、ＲＯＭを備える制御部、各種情報を記憶する記憶部（例えば、ハードディスク等）、ネットワークＮＴ等を介してユーザメモ管理サーバ６と通信を行うための通信部（例えば、通信機器、通信ポート等）、及びユーザが購入予定である商品に関する商品情報を入力するための複数の入力手段を備えている。
【０１３９】
入力ボード装置８の制御部は、例えば、ＣＰＵが、ＲＯＭや記憶部に記憶されたプログラムを実行することにより、入力ボード装置８における各構成要素を制御するようになっている。
【０１４０】
図１２は、入力ボード装置８における各種入力手段を示す図である。図１２に示すように、入力ボード装置８には、タッチパネル入力・表示部８０１、デジタルペン８０２、集音部８０３、画像撮影部８０４、及び情報読取部８０５等の入力手段が備えられている。
【０１４１】
上記の構成によりユーザは、自宅に居ながら、紙媒体のチラシ、インターネットで掲載されている電子チラシから特売品を、入力ボード装置８を用いて、商品を入力することができる。
【０１４２】
図１２の例では、タッチパネル入力・表示部８０１上に、入力ボード装置８がネットワークＮＴを介して所定のサーバから取得したインターネットチラシが表示されており、ユーザがタッチパネル入力・表示部８０１に表示された当該インターネットチラシ上における商品情報（例えば、商品画像）を指定（選択）し、メモ登録エリア８１０に移動させる（例えば、ドラック＆ドロップする）ことで商品情報を入力する。
【０１４３】
また、デジタルペン８０２は、ユーザが記述することにより指定された商品情報に係る文字データを入力し、当該文字データを例えば公知のBluetoothに基づく近距離無線通信機能により入力ボード装置８に対して送信する。そして、入力ボード装置８は、デジタルペン８０２からの文字データを受信し、文字認識することになる。
【０１４４】
また、集音部８０３は、例えばマイクロフォンが備えられており、ユーザが発話により指定された音声を集音することで商品情報を入力する。
【０１４５】
また、画像撮影部８０４は、例えばカメラが備えられており、ユーザによって指定された画像を撮影することで商品情報を入力する。
【０１４６】
また、情報読取部８０５は、ユーザにより指定された商品に付加されたＩＣタグから商品ＩＤを読み取ったり、或いは、バーコードとして印刷された商品ＩＤを読み取ることで商品情報を入力する。
【０１４７】
なお、商品情報の入力手段は、これらに限定するものではなく、赤外線、無線、画像の透かし情報の読取、ＯＣＲ、その他の入力手段を用いるように構成してもよい。
【０１４８】
以上の商品情報提供システムＳＸ２の構成において以下の動作が行われる。
【０１４９】
先ず、ユーザにより指定された商品であってユーザが購入予定である商品に関する商品情報（例えば、○月○日、牛乳）が入力手段を介して入力されると、入力ボード装置８の制御部は、入力された商品情報に対して入力日時を付加する。そして、入力ボード装置８の制御部は、ユーザから何れかの入力手段を通じてメモ登録指示を受け付けた場合には、当該商品情報、入力日時、及び入力ボード装置８に予め記憶されていたユーザＩＤを、ネットワークＮＴ等を介してユーザメモ管理サーバ６に送信する。
【０１５０】
次に、ユーザメモ管理サーバ６は、入力ボード装置８から送信されてきた商品情報、及びユーザＩＤ等を受信し、これらの情報を当該ユーザのメモ情報として、上記取得されたユーザＩＤに対応付けて記憶部に構築されたメモ情報データベースに記憶する。
【０１５１】
ここで、ユーザメモ管理サーバ６は、商品情報に商品ＩＤが含まれているか否かを判別し、含まれている場合には、商品情報管理サーバ２から当該商品ＩＤに対応する商品情報を取得し、更に、当該商品情報に当該商品を扱う店舗の店舗ＩＤが含まれているか否かを判別し、含まれている場合には、店舗情報管理サーバ３から当該店舗ＩＤに対応する店舗情報を取得して、これらの情報を、当該ユーザＩＤに対応するメモ情報としてメモ情報データベースに記憶するように構成しても良い。
【０１５２】
そして、ユーザは、登録されたメモ情報を、後から携帯端末１で参照したい場合、操作部１８を操作してメモ参照指示を入力すると、第１実施形態におけるステップＳ９〜ステップＳ１１と同様に処理が行われ、表示部１７の表示画面上にメモ情報が表示される。例えば、当該表示画面上には、入力ボード装置８の入力手段により入力された購入予定である商品に関する商品情報（例えば、○月○日、牛乳）が表示される。
【０１５３】
なお、入力ボード装置８の入力手段により商品コードが入力された場合には、商品情報管理サーバ２からその商品の商品情報を、店舗情報管理サーバ３からその商品を取り扱う店舗情報を、夫々取得できるので、例えば入力された商品コードに対応する商品がどの店舗で最も安いかを、携帯端末１のユーザは把握することができる。
【０１５４】
また、ユーザメモ管理サーバ６に記憶されたメモ情報は、入力ボード装置８によりユーザＩＤを基に取得されて表示されるように構成しても良い。
【０１５５】
図１３は、入力ボード装置８のタッチパネル入力・表示部８０１に表示されたメモ情報の一例を示す図である。図１３の例では、カレンダーと共にメモ情報が表示されており、メモ情報はそれが入力された日に対応するカレンダーの位置に表示されることになる。このようなカレンダーと共にメモ情報を表示することにより、ユーザはいつ商品情報を入力したかを一目で把握することができる。なお、携帯端末１上でも、このようなカレンダーと共にメモ情報を表示するように構成しても良い。
【０１５６】
以上説明したように、上記第２実施形態によれば、入力ボード装置８から購入予定である商品に関する商品情報を入力し、メモ情報としてユーザメモ管理サーバ６に記憶しておき、後から、ユーザがそのメモ情報を携帯端末１で確認できるようにしたので、ユーザは、購入予定である商品を忘れずに購入することができる。
【０１５７】
なお、ユーザがそのメモ情報を携帯端末１で確認する際に、メモ情報に含まれる商品情報に係る商品についてのメモリストを表示するように構成すれば、ユーザは、購入予定である商品を把握しやすくなる。更に、ユーザがメモリストに表示された商品を購入した場合、携帯端末１から購入済を示す情報を当該商品の商品情報に対応付けてメモ情報に記憶しておき、その後、例えば入力ボード装置８においてメモリストが表示される際に、購入済を示すマークと共に表示させるように構成すれば、例えば自宅にいる妻は自分がメモ（入力）した商品について夫が既に購入したか否かを確認することができる。
（第３実施形態）
次に、図１４等を参照して、本発明の第３実施形態に係る商品情報提供システムの構成及び機能について説明する。
【０１５８】
図１４は、第３実施形態に係る商品情報提供システムの全体構成例を示す図である。
【０１５９】
図１４に示すように、第３実施形態に係る商品情報提供システムＳＸ３は、ＰＯＰを作成するためのコンピュータであるＰＯＰ作成端末９と、ＰＯＰサーバ１０と、携帯端末１と、を備えて構成されている。
【０１６０】
携帯端末１は、ＰＯＰサーバ１０の例えばＵＲＬ（Uniform Resource Locator）やＩＰアドレスを有しており、ネットワークＮＴを介してＰＯＰサーバ１０に接続可能になっている。
【０１６１】
なお、第３実施形態において、上記第１実施形態と同様の構成部分については、同一の符号を付しており、重複する説明は省略するものとする。また、ここでのＰＯＰデータとしては、例えば書店における、書籍の手書きＰＯＰを具体例としてあげているが、ＰＯＰで有ればこれに限定するものではなく、任意の商品の手書きＰＯＰであっても良い。
【０１６２】
ＰＯＰサーバ１０は、上述した商品情報管理サーバ２とユーザメモ管理サーバ６の機能し、ＰＯＰに関する情報を管理するコンピュータであり、ＣＰＵ、ＲＡＭ、ＲＯＭを備える制御部、各種情報を記憶する記憶部（例えば、ハードディスク等）、ネットワークＮＴ等を介して携帯端末１と通信、及び専用回線１１を介してＰＯＰ作成端末９と通信を行うための通信部（例えば、通信機器、通信ポート等）を備えている。そして、制御部は、例えば、ＣＰＵが、ＲＯＭや記憶部に記憶されたプログラムを実行することにより、ＰＯＰサーバ１０における各構成要素を制御するようになっている。
【０１６３】
ＰＯＰサーバ１０における記憶部には、ＰＯＰ素材データベース１０ａ、ＰＯＰ管理データベース１０ｂ、及びメモ情報データベース１０ｃが構築されている。
【０１６４】
ＰＯＰ素材データベース１０ａには、ＰＯＰデータを作成するための素材データ（ＰＯＰのレイアウト画像、店舗のロゴ画像や店舗のキャラ画像など）が記憶されている。このような素材データは、例えばＰＯＰ作成端末９に接続されるスキャナにより取り込まれ、専用回線１１を介してＰＯＰサーバ１０に入力される。
【０１６５】
ＰＯＰ管理データベース１０ｂは、ＰＯＰデータと、当該ＰＯＰデータに対応する商品に関する商品情報とが紐付けられて記憶されている。この商品情報は、上述した商品情報管理サーバ２に記憶された商品情報と同様である。ＰＯＰデータは、ＰＯＰ作成端末９に接続されるタブレットにより、例えば素材データが編集され作成される。
【０１６６】
メモ情報データベース１０ｃには、ユーザが携帯端末１により取得した商品情報等を含むメモ情報が記憶されている。このメモ情報は、上述したユーザメモ管理サーバ６に記憶されたメモ情報と同様である。
【０１６７】
なお、ＰＯＰ作成端末９に接続されたプリンタからは、商品ＩＤを埋め込んだ（電子透かし）ＰＯＰをプリントアウトすることができる。
【０１６８】
以上の商品情報提供システムＳＸ３の構成において以下の動作が行われる。
【０１６９】
先ず、携帯端末１を所持するユーザが、所望の商品を例えば店舗等で発見し（例えば、書店内で本に関する手書きＰＯＰを読んで、気に入った本があれば）、当該携帯端末１を、その商品の近傍に商品ＩＤを埋め込んだ（電子透かし）ＰＯＰに近づけると、その商品の商品ＩＤが、当該携帯端末１の情報読み取り部１６により読み取られる。そして、携帯端末１は、読み取られた商品ＩＤを、無線通信部１３及びネットワークＮＴ等を介してＰＯＰサーバ１０に送信する。
【０１７０】
次に、ＰＯＰサーバ１０は、携帯端末１から送信されてきた商品ＩＤを受信し、ＰＯＰ管理データベース１０ｂから、当該商品ＩＤに対応する商品情報（本の題名、作者名、発行元、値段、ＰＯＰの内容等）を検索、取得して、これらを、ネットワークＮＴ等を介して携帯端末１に送信（返信）する。
【０１７１】
次に、携帯端末１は、ＰＯＰサーバ１０から送信されてきた商品情報を受信し、商品情報から表示すべき情報を抽出して、抽出された情報を表示部１７の表示画面上に表示する。
【０１７２】
そして、ユーザが、当該商品の商品情報をメモとして残したい場合、携帯端末１の操作部１８を操作してメモ保存指示を入力すると、携帯端末１の制御部１１は、これに応じ、上記商品ＩＤ及びこれに対応する商品情報と、当該携帯端末１の記憶部１２に記憶されているユーザＩＤと、上記商品ＩＤの取得媒体（ここでは、ＰＯＰ）を示す媒体情報と、をネットワークＮＴ等を介してＰＯＰサーバ１０に送信する。
【０１７３】
次に、ＰＯＰサーバ１０は、携帯端末１から送信されてきた商品情報、ユーザＩＤ、及び媒体情報と受信し、これらの情報及びその時の日時等を、当該ユーザのメモ情報として、上記取得されたユーザＩＤに対応付けて記憶部に構築されたメモ情報データベース１０ｃに記憶する。
【０１７４】
そして、ユーザは、登録されたメモ情報を、後から携帯端末１で参照したい場合、操作部１８を操作してメモ参照指示を入力すると、第１実施形態におけるステップＳ９〜ステップＳ１１と同様に処理が行われ、表示部１７の表示画面上にメモ情報が表示される。
【０１７５】
以上説明したように、上記第３実施形態によれば、ユーザは、商品の近傍にあるＰＯＰから当該商品の詳細情報を簡単に把握することができる。また、店舗側にとって、どのような商品のＰＯＰが最もユーザに興味を持たれるかの情報をＰＯＰサーバ１０から得ることができる。
【０１７６】
ところで、店舗の店員にはお勧めしたい商品が多数あるものの、それら全ての商品にＰＯＰを貼り付けてしまうのはスペース的に無理があり、また、無理して多数の商品にＰＯＰを貼り付けても、逆に商品が見づらくなってかえって販促効果が低下してしまうという問題がある。
【０１７７】
そこで、例えば、夫々の商品又はその近傍に商品ＩＤを埋め込んだＩＣタグを貼り付けておき、携帯端末１を所持するユーザが、当該携帯端末１を、所望の商品のＩＣタグの近傍に近づけると、当該携帯端末１の情報読み取り部１６がＩＣタグから商品ＩＤを読み取り、ＰＯＰサーバ１０に無線通信部１３及びネットワークＮＴ等を介して送信するように構成し、ＰＯＰサーバ１０は、送信されてきた商品ＩＤを受信し、それに対応するＰＯＰデータをＰＯＰ管理データベース１０ｂから取得して、当該携帯端末１に対して送信（返信）するように構成する。そして、携帯端末１が、ＰＯＰサーバ１０から送信されてきたＰＯＰデータを受信し、それを表示部１７の表示画面上に表示するように構成すれば、上記問題を解決し、ＰＯＰを貼り付けるスペースが無くても、ユーザに対し商品のＰＯＰを提示することが可能となる。
（第４実施形態）
次に、図１５等を参照して、本発明の第４実施形態に係る商品情報提供システムの構成及び機能について説明する。
【０１７８】
図１５は、第４実施形態に係る商品情報提供システムの全体構成例を示す図である。
【０１７９】
図１５に示すように、商品情報提供システムＳは、複数の携帯型端末装置としての携帯端末１と、商品情報データベースサーバ２ａと、メモ情報データベースサーバ３ａと、商品情報提供装置としての商品情報提供サーバ４と、書籍情報提供サーバ５と、を備えて構成されている。なお、図１の例では、説明の便宜上、１つの携帯端末１を示したが、実際にはこれより多くの携帯端末が存在することになる。
【０１８０】
携帯端末１は、移動体通信網（無線基地局、交換局等を含む）及びインターネット等により構築されたネットワークＮＴを介してＷＥＢサーバである商品情報提供サーバ４又は書籍情報提供サーバ５に接続して通信可能（例えば、通信プロトコルにＴＣＰ／ＩＰ（Transmission Control Protocol/Internet Protocol）を用いて、相互にデータの送受信が可能）になっている。携帯端末１としては、例えば、携帯電話機、ＰＤＡ（Personal Digital Assistant）、及びＰＨＳ（Personal Handyphone System）等を適用することができるが、本実施形態においては、携帯電話機を適用した場合について説明するものとする。
【０１８１】
また、携帯端末１のＣＰＵ（Central Processing Unit）は、ＷＥＢアプリケーション
プログラムを例えばＲＯＭから読み出して実行することにより、本発明の商品識別情報取得手段、ユーザ識別情報取得手段、識別情報送信手段、商品情報受信手段、商品情報表示手段、登録指示入力手段、登録要求情報送信手段、付加情報入力手段、及び付加情報送信手段等として機能するようになっている。なお、図示しないが、携帯端末１は、ユーザからの指示を受け付ける操作ボタン、各種情報が表示される表示パネル、及びカメラ等を有している。
【０１８２】
商品情報データベースサーバ２ａ及びメモ情報データベースサーバ３ａは、夫々、データベースを備え、例えばＮＡＳ（Network Attached Storage）として機能して、ＬＡＮに接続された商品情報提供サーバ４の記憶装置として使用される。
【０１８３】
商品情報データベースサーバ２ａにおける商品情報データベース２１ａには、複数種類の商品毎の商品情報が、商品毎に個別に割り当てられた商品識別情報（商品ＩＤ）としての商品コード（例えば、ＪＡＮ（Japanese Article Number）コード）に対応付けられて登録（記憶）されている。ここで、商品情報には、例えば、商品名、メーカ名（ブランド名）、商品スペック（色、素材等）、商品の画像（格納場所（パス），ファイル名）、定価等の情報が含まれる。この商品情報データベース２１ａに登録された商品情報は、各ユーザが携帯端末から共通に利用可能（取得可能）な共用データであり、例えば、商品情報提供サーバ４の運営者により登録される。
【０１８４】
一方、メモ情報データベースサーバ３ａにおけるメモ情報データベース３１ａは、各ユーザ毎に記憶領域が区分されており、各ユーザのメモ情報が、ユーザ毎に個別に割り当てられたユーザ識別情報（ユーザＩＤ）としてのユーザ識別コードに対応付けられて登録（記憶）されている（言い換えれば、商品クリップされている）。ここで、メモ情報には、例えば、上記商品情報、当該商品情報に対して付加する付加情報等が含まれる。付加情報としては、例えば、商品を分類するための分類カテゴリ名、商品に対する自己評価、商品の販売価格、商品を販売する店舗名やその場所等の情報が一例として挙げられ、ユーザにより携帯端末から入力されるものである。このメモ情報データベース３１ａに登録されたメモ情報は、各ユーザが自己の携帯端末から利用可能（取得可能）な固有データ（つまり、自己のメモ情報のみ利用可能）である。また、商品の画像は、ユーザにより携帯端末にて撮影してメモ情報として登録されるようにしても良い。
【０１８５】
図１６は、商品情報提供サーバ４の概要構成例を示す図である。
【０１８６】
図１６に示すように、商品情報提供サーバ４は、ＣＰＵ、作業用のＲＡＭ（Random Access Memory）、データ及びプログラムを記憶するＲＯＭ（Read Only Memory）等を備える制御部４１、各種情報を記憶する記憶部（例えば、ハードディスクドライブ等からなる）４２、ネットワークＮＴを介して他の装置との間で通信を行うための通信部（例えば、通信機器、通信ポート等）４３等を備え、接続してきた端末（携帯端末１）を含む）に対してネットワークＮＴを介して商品情報等を提供するＷＥＢサーバである。
【０１８７】
制御部４１は、例えば、ＣＰＵが、ＲＯＭや記憶部４２に記憶されたプログラム（例えば、ＷＥＢアプリケーションプログラム）を例えばＲＯＭから読み出して実行することにより、本発明の識別情報受信手段、商品情報有無判別手段、商品情報取得手段、商品情報送信手段、登録要求情報受信手段、メモ情報登録手段、及び付加情報受信手段等として機能するようになっている。
【０１８８】
また、書籍情報提供サーバ５は、書籍に関する書籍情報（例えば、書籍名、書籍の出版者（社）、書籍の概要、書籍の価格、書籍の著者）を書籍情報データベースにて管理し、接続してきた端末に対してネットワークＮＴを介して書籍情報等を提供するＷＥＢサーバである。なお、本実施形態においては、書籍に関する書籍情報を書籍情報データベースにて管理する書籍情報提供サーバ５を挙げて説明しているが、該情報提供サーバ５として書籍以外の商品の情報を管理するサーバを適用しても構わない。
【０１８９】
次に、図１８乃至図２５等を参照して、上記のように構成された商品情報提供システムＳの動作例について説明する。
【０１９０】
図１８乃至図２１は、携帯端末１の表示パネルにおける表示画面例を示す図である（紙面右側は概略表示画面例を、紙面左側は詳細（実際の）表示画面例を示す）。なお、図１７に示すメニュー画面において、「商品コード読み取り」ボタン５１が選択実行されると、図１８（図１８（Ａ）又は図１８（Ｂ）の何れか）に示す商品詳細＆コメント入力画面に遷移し、「商品名  直接入力」ボタン５２が選択実行されると、図１９に示す直接入力画面に遷移し、「分類カテゴリ作成」ボタン５４が選択実行されると、図２０に示すカテゴリ作成画面に遷移し、「メモ確認」ボタン５３が選択実行されると、図２１に示す商品メモ一覧画面に遷移する。また、図２２乃至図２５は、商品情報提供システムＳにおける処理の流れを示す図であり、図２２は、図１７に示すメニュー画面における「商品コード読み取り」ボタン５１が選択実行された後に行われる処理の流れを示し、図２３は、図１７に示すメニュー画面における「商品名  直接入力」ボタン５２が選択実行された後に行われる処理の流れを示し、図２４は、図１７に示すメニュー画面における「分類カテゴリ作成」ボタン５４が選択実行された後に行われる処理の流れを示し、図２５は、図１７に示すメニュー画面における「メモ確認」ボタン５３が選択実行された後に行われる処理の流れを示す。
【０１９１】
例えば、携帯端末１を所持するユーザが、ショッピングモール等で所望の商品を発見し、当該携帯端末１の操作ボタンを操作してＷＥＢアプリケーションプログラムを起動（アプリ起動）させると、表示パネル上に図１７に示すメニュー画面が表示される。
【０１９２】
このようなメニュー画面の表示状態において、ユーザが所望の商品の商品情報をメモ情報として登録したい場合、携帯端末１の操作ボタンを操作して「商品コード読み取り」ボタン５１を選択実行すると、携帯端末１は、図２２に示すように、バーコード読み取りモードでカメラを起動させる（図２２の２．１）。そして、ユーザが商品に付与された商品コード（例えば、当該商品コードは、バーコード、或いは、ＱＲコード（２次元バーコード）で表示されている）に携帯端末１のカメラを近づけ、操作ボタンを操作して読み取り指示を入力すると、携帯端末１は、当該商品コードを読み取り（図２２の２．２）、一時ＲＡＭに記憶する。続いて、ユーザが操作ボタンを操作して検索指示を入力すると、携帯端末１は、商品情報提供サーバ４との接続を確立し、表示画面上に「ネットワーク接続中」との表示を行う（図２２の２．３）。そして、携帯端末１は、上記ＲＡＭに記憶された商品コードを取得すると共に、例えば予め不揮発性メモリ等に記憶された当該ユーザのユーザ識別コードを取得し、当該取得された商品コード及びユーザ識別コードを含む商品検索依頼情報（商品情報の検索要求を示す）を、ネットワークＮＴを介して商品情報提供サーバ４に対して送信する（図２２の２．４）。
【０１９３】
これに対し、商品情報提供サーバ４（制御部４１）は、携帯端末１から送信されてきた商品検索依頼情報を受信すると、商品検索依頼情報に含まれる商品コードを解析する（図２２の２．４．１）。かかる商品コードの解析においては、桁数のチェックを行い、例えば、１３桁のとき、商品コードの前３桁（プレフィックス）を見て、例えば、９７８又は９７９の値である場合には、書籍の商品コードであると認識する。
【０１９４】
次いで、商品情報提供サーバ４は、メモ情報データベースサーバ３ａに接続し、メモ情報データベース３１ａを検索して（図２２の２．４．２）、上記受信されたユーザ識別コードに対応付けられたメモ情報中に、上記受信された商品コードに対応する商品の商品情報が含まれているか（つまり、当該商品情報が既に取得されているか）否かを判別する。そして、商品情報がメモ情報中に含まれていると判別された場合には、商品情報提供サーバ４は、当該メモ情報データベースサーバ３ａから当該商品情報を取得し、当該取得した商品情報をネットワークＮＴを介して携帯端末１に対して送信する（図２２の２．４．６）。
【０１９５】
一方、上記商品情報がメモ情報中に含まれていないと判別された場合には、商品情報提供サーバ４は、当該商品コードに対応する商品が書籍であるか否かを判別し、書籍である場合（上記商品コードの解析において書籍の商品コードであると認識された場合）には、当該商品コードからＩＳＢＮ（International Standard Book Number）コードを生成（変換）する（図２２の２．４．４）。ここで、ＩＳＢＮコードとは、書籍の流通業務をコンピュータ処理するための国際標準図書番号であり、１０桁の数字で国籍、出版者（社）、及び書名を表示する。そして、商品コード（ＪＡＮコード）からＩＳＢＮコードへの変換は、例えば以下ように行われる。
【０１９６】
例えば、ＪＡＮコードが、「９７８４８３９９１７３６４」であると仮定した場合、前４桁目から１２桁目までの数値「４８３９９１７３６」を分解して、ＩＳＢＮのチェック・デジットCHKDGTを計算する。
【０１９７】
ここで、
CHKDGT＝11−((X1*10＋X2*9＋X3*8＋X4*7＋X5*6＋X6*5＋X7*4＋X8*3＋X9*2)％11)とし
、「（…）％11」は、（…）を１１で割った余りを示す。
【０１９８】
この式のX1にＪＡＮコードの４桁目の値を、X2に５桁目の値を、X3に６桁目の値を、X4に７桁目の値を、X5に８桁目の値を、X6に９桁目の値を、X7に１０桁目の値を、X8に１１桁目の値を、X9に１２桁目の値を、夫々代入すると、
CHKDGT＝11−((4*10＋8*9＋3*8＋9*7＋9*6＋1*5＋7*4＋3*3＋6*2)％11)＝１となる。
【０１９９】
そして、CHKDGTが計算できたら、以下のように数値を並べ、ＩＳＢＮコードを求める。
【０２００】
ＩＳＢＮコード＝ X1−X2 X3 X4 X5−X6 X7 X8 X9−CHKDGT
＝４−８３９９−１７３６−１
このように、求められた１０桁の数値がＩＳＢＮコードとなる。なお、現状、ＩＳＢＮコードは、１０桁であるが、１３桁になった場合には、ＪＡＮコードの前３桁（例えば、９７８）が先頭につくようになり、チェック・デジットの計算の桁も増えることになる。
【０２０１】
例えば、CHKDGT＝14−((9*13＋7*12＋8*11＋4*10＋8*9＋3*8＋9*7＋9*6＋1*5＋7*4＋3*3＋6*2)％14)＝６となり、ＩＳＢＮコード＝ ９７８−４−８３９９−１７３６−６と
なる。
【０２０２】
続いて、商品情報提供サーバ４は、書籍情報提供サーバ５に接続し、上記生成したＩＳＢＮコードを含む書籍検索要求情報を、ネットワークＮＴを介して書籍情報提供サーバ５に対して送信する。これに対し、書籍情報提供サーバ５は、商品情報提供サーバ４から送信されてきた書籍検索要求情報を受信すると、書籍情報データベースを検索して（図２２の２．４．５）、書籍検索要求情報に含まれるＩＳＢＮコードに対応する書籍情報（例えば、書籍名、書籍の出版者（社）、書籍の概要、書籍の価格、書籍の著者）を取得し、これをネットワークＮＴを介して商品情報提供サーバ４に対して送信する。これに対し、商品情報提供サーバ４は、書籍情報提供サーバ５から送信されてきた書籍情報を受信すると、これをネットワークＮＴを介して携帯端末１に対して送信する（図２２の２．４．６）。これにより、既存の書籍情報提供サーバ５を有効に活用することができる。
【０２０３】
一方、上記において、商品コードに対応する商品が書籍でない場合には、商品情報提供サーバ４は、商品情報データベースサーバ２ａに接続し、商品情報データベース２１ａを検索して（図２２の２．４．３）、上記受信された商品コードに対応する商品の商品情報を取得し、これをネットワークＮＴを介して携帯端末１に対して送信する（図２２の２．４．６）。
【０２０４】
これに対し、携帯端末１は、商品情報提供サーバ４から送信されてきた商品情報（又は書籍情報）又はメモ情報を受信すると、図１８（Ａ）又は図１８（Ｂ）に示す商品詳細＆コメント入力画面に遷移され、当該商品詳細＆コメント入力画面上に、受信された商品情報（又は書籍情報）又はメモ情報を商品詳細情報として表示する（図１８の２．５）。
【０２０５】
なお、図１８（Ａ）に示す商品詳細＆コメント入力画面は、商品情報（又は書籍情報）が受信された場合に表示され、かかる画面によれば、当該商品情報（又は書籍情報）をメモ情報としてメモ情報データベース３１ａに登録することができる。一方、図１８（Ｂ）に示す商品詳細＆コメント入力画面は、メモ情報が受信された場合に表示され、かかる画面によれば、既にメモ情報として登録された商品情報の内容を変更、追加、又は削除することができる。
【０２０６】
例えば、図１８（Ａ）に示す商品詳細＆コメント入力画面の表示状態において、ユーザが携帯端末１の操作ボタンを操作して、表示された商品情報に対して付加するべき分類カテゴリ名、自己評価（例えば、商品に対するお気に入りランクやコメント、商品の印象等）価格、お店／売場等の付加情報を入力し、登録ボタン６５を選択実行（登録指示を入力）すると、携帯端末１は、表示画面上に「ネットワーク接続中」との表示を行い（図２２の４．１）、商品コード、ユーザ識別コード、及び入力された付加情報を含む登録依頼情報（商品情報の登録要求を示す）を、ネットワークＮＴを介して商品情報提供サーバ４に対して送信する（図２２の４．２）。なお、分類カテゴリ名については、後述する分類カテゴリの作成にて登録されたものが商品詳細＆コメント入力画面上でリスト形式に選択可能に表示（例えば、プルダウン表示）され、その中からユーザにより選択された分類カテゴリ名が付加情報として登録されることになる。
【０２０７】
これに対し、商品情報提供サーバ４は、携帯端末１から送信されてきた登録依頼情報を受信すると、メモ情報データベースサーバ３ａに接続し、受信された登録依頼情報に含まれる商品コードに対応する商品の商品情報及びその付加情報をメモ情報として上記受信されたユーザ識別コードに対応付けてメモ情報データベース３１ａに登録し（図２２の４．２．１）、登録完了情報を携帯端末１に送信する。
【０２０８】
これに対し、携帯端末１は、商品情報提供サーバ４から送信されてきた登録完了情報を受信すると、表示画面上にメモ登録成功ダイアログを表示し（図２２の４．３）、当該処理を終了する。
【０２０９】
このように図２２に示す処理によれば、ユーザは、店頭で気になる商品の詳細な情報を商品コードを入力するだけで素早く取得し携帯端末１上に表示させて知ることができ、しかも、ユーザは所望の商品の商品情報を、外出先からも自分だけのメモ情報として後から閲覧可能にメモ情報データベース３１ａに登録することができる。さらに、ユーザは、その商品の商品情報に対して自己評価（この商品は良いとか、悪いとかのコメント）や、分類カテゴリ名（例えば、洋服、食料品）等の様々な付加情報を付加してメモ情報として登録することができるので、ユーザにとって極めて有益な情報となる。
【０２１０】
また、商品検索依頼情報を受信した商品情報提供サーバ４が、先ずはメモ情報データベース３１ａを検索して、受信されたユーザ識別コードに対応付けられたメモ情報中に、受信された商品コードに対応する商品の商品情報が含まれているか否かを判別し、含まれていないと判別された場合には、商品情報データベース２１ａを検索して、受信された商品コードに対応する商品の商品情報を取得し、これを商品情報を携帯端末１に対して送信するようにしたので、より効率良く商品情報をユーザに対して提供することができる。
【０２１１】
一方、図１７に示すメニュー画面の表示状態において、ユーザが所望の商品の商品情報をメモ情報として登録したいが、その商品には商品コードが付与されていない場合、携帯端末１の操作ボタンを操作して「商品名  直接入力」ボタン５２を選択実行すると、図１９に示す直接入力画面に遷移される。
【０２１２】
このような直接入力画面において、ユーザが携帯端末１の操作ボタンを操作して、図２３に示すように、商品コード、商品名、メーカ名、商品スペック、分類カテゴリ、自己評価、価格、及びお店／売場等の情報を入力し、登録ボタン６６を選択実行（登録指示を入力）すると、携帯端末１は、表示画面上に「ネットワーク接続中」との表示を行い（図２３の４．１）、商品コード、商品情報（商品名、メーカ名、商品スペック）、付加情報（分類カテゴリ名、自己評価、価格、及びお店／売場等の情報等）、及びユーザ識別コードを含む登録依頼情報（商品情報の登録要求を示す）を、ネットワークＮＴを介して商品情報提供サーバ４に対して送信する（図２３の４．２）。
【０２１３】
これに対し、商品情報提供サーバ４は、携帯端末１から送信されてきた登録依頼情報を受信すると、メモ情報データベースサーバ３ａに接続し、受信された登録依頼情報に含まれる商品コードに対応する商品の商品情報及びその付加情報をメモ情報として上記受信されたユーザ識別コードに対応付けてメモ情報データベース３１ａに登録し（図２３の４．２．１）、登録完了情報を携帯端末１に送信する。
【０２１４】
これに対し、携帯端末１は、商品情報提供サーバ４から送信されてきた登録完了情報を受信すると、表示画面上にメモ登録成功ダイアログを表示し（図２３の４．３）、当該処理を終了する。
【０２１５】
このように図２３に示す処理によれば、その商品には商品コードが付与されていない場合であっても、ユーザは、携帯端末１を用いて商品情報及び付加情報をメモ情報としてメモ情報データベース３１ａに登録することができる。
【０２１６】
一方、図１７に示すメニュー画面の表示状態において、ユーザが、既に登録された分類カテゴリ名を変更又は削除したい又は新たな分類カテゴリ名を登録したい場合、携帯端末１の操作ボタンを操作して「分類カテゴリ作成」ボタン５４を選択実行すると、図２４に示すように、携帯端末１は、商品情報提供サーバ４との接続を確立し、表示画面上に「ネットワーク接続中」との表示を行う（図２４の２．１）。そして、携帯端末１は、例えば予め不揮発性メモリ等に記憶された当該ユーザのユーザ識別コードを取得し、当該取得されたユーザ識別コードを含む分類カテゴリ一覧情報取得依頼情報（分類カテゴリ一覧情報の取得依頼を示す）を、ネットワークＮＴを介して商品情報提供サーバ４に対して送信する（図２４の２．２）。
【０２１７】
これに対し、商品情報提供サーバ４は、携帯端末１から送信されてきた分類カテゴリ一覧情報取得依頼情報を受信すると、メモ情報データベースサーバ３ａに接続し、メモ情報データベース３１ａを検索して（図２４の２．２．１）、分類カテゴリ一覧情報取得依頼情報に含まれるユーザ識別コードに対応する、複数の分類カテゴリ名と各分類カテゴリ名に対して一意に付与された分類カテゴリコードとを含む分類カテゴリ一覧情報を取得し、当該取得した分類カテゴリ一覧情報をネットワークＮＴを介して携帯端末１に対して送信する（図２４の２．２．２）。
【０２１８】
これに対し、携帯端末１は、商品情報提供サーバ４から送信されてきた分類カテゴリ一覧情報を受信すると、図２０に示すカテゴリ作成画面に遷移される（図２４の２．３）。このようなカテゴリ作成画面の表示状態において、ユーザが新たに分類カテゴリ名を登録したい場合、携帯端末１の操作ボタンを操作して、登録したい分類カテゴリ名を「新規/変更カテゴリ名」入力欄７２に入力し、「登録/変更」ボタン７３を選択実行すると、携帯
端末１は、表示画面上に「ネットワーク接続中」との表示を行い（図２４の４．１）、「新規/変更カテゴリ名」入力欄７２に入力、表示された分類カテゴリ名、及びユーザ識別コードを含む新規カテゴリ作成依頼情報（分類カテゴリ名の登録要求を示す）を、ネットワークＮＴを介して商品情報提供サーバ４に対して送信する（図２４の４．２）。
【０２１９】
また、ユーザが既に登録された分類カテゴリ名を変更又は削除したい場合、携帯端末１の操作ボタンを操作して「既存カテゴリ」のマーク７１を指定すると、上記受信された分類カテゴリ一覧情報に含まれる複数の分類カテゴリ名が例えばプルダウン表示される。そして、ユーザが携帯端末１の操作ボタンを操作して、プルダウン表示された分類カテゴリ名の一覧から、変更又は削除したい分類カテゴリ名を選択すると、その分類カテゴリ名が「新規/変更カテゴリ名」入力欄７２に表示される。こうして「新規/変更カテゴリ名」入力欄７２に表示された分類カテゴリ名を変更したい場合、ユーザは、携帯端末１の操作ボタンを操作して、当該表示された分類カテゴリ名を変更し、「登録/変更」ボタン７３を選択実行すると、携帯端末１は、表示画面上に「ネットワーク接続中」との表示を行い、「新規/変更カテゴリ名」入力欄７２に表示された分類カテゴリ名及び分類カテゴリコード、及びユーザ識別コードを含むカテゴリ変更依頼情報（分類カテゴリ名の変更要求を示す）を、ネットワークＮＴを介して商品情報提供サーバ４に対して送信する。
【０２２０】
一方、「新規/変更カテゴリ名」入力欄７２に表示された分類カテゴリ名を削除したい
場合、ユーザは、携帯端末１の操作ボタンを操作して、「削除」ボタン７４を選択実行すると、携帯端末１は、表示画面上に「ネットワーク接続中」との表示を行い、「新規/変更カテゴリ名」入力欄７２に表示された分類カテゴリ名及び分類カテゴリコード、及びユーザ識別コードを含むカテゴリ削除依頼情報（分類カテゴリ名の削除要求を示す）を、ネットワークＮＴを介して商品情報提供サーバ４に対して送信する。
【０２２１】
これに対し、商品情報提供サーバ４は、携帯端末１から送信されてきた新規カテゴリ作成依頼情報を受信すると、メモ情報データベースサーバ３ａに接続し、受信された新規カテゴリ作成依頼情報に含まれるユーザ識別コードに対応付けて分類カテゴリ名及び分類カテゴリコード（新たに生成）をメモ情報データベース３１ａに登録し（図２４の４．２．１）、その後再度、当該ユーザ識別コードに対応する新たな分類カテゴリ一覧情報（新たに登録された分類カテゴリ名を含む）を検索（図２４の４．２．２）取得して、当該取得した新たな分類カテゴリ一覧情報をネットワークＮＴを介して携帯端末１に対して送信する（図２４の４．２．３）。
【０２２２】
一方、商品情報提供サーバ４は、携帯端末１から送信されてきたカテゴリ変更依頼情報を受信すると、メモ情報データベースサーバ３ａに接続し、受信されたカテゴリ変更依頼情報に含まれるユーザ識別コードに対応する分類カテゴリ一覧情報をメモ情報データベース３１ａから取得し、上記カテゴリ変更依頼情報に含まれる分類カテゴリコードに対応する分類カテゴリ名をメモ情報データベース３１ａに変更登録し、その後再度、当該ユーザ識別コードに対応する新たな分類カテゴリ一覧情報（変更された分類カテゴリ名を含む）を検索取得して、当該取得した新たな分類カテゴリ一覧情報をネットワークＮＴを介して携帯端末１に対して送信する。
【０２２３】
一方、商品情報提供サーバ４は、携帯端末１から送信されてきたカテゴリ削除依頼情報を受信すると、メモ情報データベースサーバ３ａに接続し、受信されたカテゴリ削除依頼情報に含まれるユーザ識別コードに対応する分類カテゴリ一覧情報をメモ情報データベース３１ａから取得し、上記カテゴリ変更依頼情報に含まれる分類カテゴリコードに対応する分類カテゴリ名をメモ情報データベース３１ａから削除し、その後再度、当該ユーザ識別コードに対応する新たな分類カテゴリ一覧情報を検索取得して、当該取得した新たな分類カテゴリ一覧情報をネットワークＮＴを介して携帯端末１に対して送信する。
【０２２４】
これに対し、携帯端末１は、商品情報提供サーバ４から送信されてきた新たな分類カテゴリ一覧情報を受信すると、その旨をカテゴリ作成画面上に表示する。こうして、「既存カテゴリ」のマーク７１の指定によりプルダウン表示された分類カテゴリ名は、上記分類カテゴリの新たな追加、変更、削除が反映されることになる。
【０２２５】
このように図２４に示す処理によれば、ユーザは、メモ情報として登録された各商品の商品情報に付加可能な分類カテゴリを効率良く登録、変更、削除することができる。
【０２２６】
一方、図１７に示すメニュー画面の表示状態において、ユーザが、既に登録されたメモ情報を確認したい場合、携帯端末１の操作ボタンを操作して「メモ確認」ボタン５３を選択実行すると、図２５に示すように、携帯端末１は、商品情報提供サーバ４との接続を確立し、表示画面上に「ネットワーク接続中」との表示を行う（図２５の２．１）。そして、携帯端末１は、ユーザ識別コードを含む商品一覧情報取得依頼情報（商品情報の一覧の取得要求を示す）を、ネットワークＮＴを介して商品情報提供サーバ４に対して送信する（図２５の２．２）。
【０２２７】
これに対し、商品情報提供サーバ４は、携帯端末１から送信されてきた商品一覧情報取得依頼情報を受信すると、メモ情報データベースサーバ３ａに接続し、メモ情報データベース３１ａを検索して（図２５の２．２．１）、商品一覧情報取得依頼情報に含まれるユーザ識別コードに対応する商品情報の一部（例えば、商品コード、商品名、メーカ名（ブランド名）、価格）及び分類カテゴリ一覧情報を取得し、これをメモ一覧情報としてネットワークＮＴを介して携帯端末１に対して送信する（図２５の２．２．２）。
【０２２８】
これに対し、携帯端末１は、商品情報提供サーバ４から送信されてきたメモ一覧情報及び分類カテゴリ一覧情報を受信すると、図２１に示す商品メモ一覧画面に遷移される（図２５の２．３）。
【０２２９】
このような商品メモ一覧画面の商品メモ一覧８２には、上記受信された各商品の商品コード、商品名、メーカ名（ブランド名）、及び価格がリスト形式で一覧表示されている。なお、ユーザが、携帯端末１の操作ボタンを操作して「カテゴリ絞り込み」のマーク８１を指定すると、上記受信された分類カテゴリ一覧情報に含まれる複数の分類カテゴリ名が例えばプルダウン表示される。そして、ユーザが携帯端末１の操作ボタンを操作して、プルダウン表示された分類カテゴリ名の一覧から、所望の分類カテゴリ名を選択すると、その分類カテゴリ名に対応する商品の商品コード、商品名、メーカ名（ブランド名）、及び価格等が商品メモ一覧８２に表示されることになる。なお、複数の商品がある場合において、商品メモ一覧８２に表示される商品情報の順序は、登録順、商品名順、種類順又は店舗名順等で表示することができ、図示しないソートボタンにより、登録順、商品名順、種類順又は店舗名順等を切換可能である。
【０２３０】
このような表示状態において、ユーザが、商品メモ一覧８２において詳細を見たい所望の商品の例えば商品名を、携帯端末１の操作ボタンを操作して１又は複数指定した後、詳細確認ボタン８３を選択実行すると、携帯端末１は、表示画面上に「ネットワーク接続中」との表示を行い（図２５の３．１）、商品コード及びユーザ識別コードを含むメモ詳細情報取得依頼情報（メモ情報の詳細情報の取得要求を示す）を、ネットワークＮＴを介して商品情報提供サーバ４に対して送信する（図２５の３．２）。
【０２３１】
これに対し、商品情報提供サーバ４は、携帯端末１からメモ詳細情報取得依頼情報を受信すると、メモ情報データベースサーバ３ａに接続し、メモ情報データベース３１ａを検索して（図２５の３．２．１）、上記受信されたユーザ識別コードに対応付けられたメモ情報から、上記受信された商品コードに対応する商品の商品情報及び付加情報を取得し、当該取得した商品情報及び付加情報をメモ詳細情報としてネットワークＮＴを介して携帯端末１に対して送信する（図２５の３．２．２）。
【０２３２】
これに対し、携帯端末１は、商品情報提供サーバ４から送信されてきたメモ詳細情報を受信すると、図１８（Ｂ）に示す商品詳細＆コメント入力画面に遷移され、当該商品詳細＆コメント入力画面上に、受信された商品情報及びメモ情報を表示する（図２５の３．３）。こうして表示されたメモ情報の追加、変更又は削除を行うことができる。なお、商品情報提供サーバ４から送信されてきたメモ詳細情報に複数の商品の商品情報が含まれている場合には、例えば、ユーザにより携帯端末１の操作ボタンの操作によりスクロール表示される。
【０２３３】
なお、ユーザは、携帯端末１の代わりに汎用のパーソナルコンピュータを用いて商品情報提供サーバ４に接続し、認証処理（パーソナルコンピュータにおいて入力されたユーザ識別コード及びパスワードにより）後、携帯端末１と同様に、図２５に示す処理より、商品メモ一覧画面、商品詳細＆コメント入力画面の表示及びメモ情報の追加、変更又は削除を行うことができる。
【０２３４】
このように図２５に示す処理によれば、メモ情報として登録された商品情報が多数あったとしても、ユーザは、一覧表示より容易に確認することができ、また、上記商品情報に付加された分類カテゴリ名により所望の商品を迅速に探し出し、その詳細を閲覧することができる。また、ユーザは外出先からも容易にメモ情報を閲覧することができる。
【０２３５】
なお、上記実施形態における図２２に示す処理において、ユーザは携帯端末１の表示パネル上に表示された商品詳細＆コメント入力画面（図１８（Ａ））上で自己評価を入力可能としたが（図２２の３）、ユーザの商品に対する印象をより入力し易いように、複数段階に分かれた印象度を予め設定しておき、これらの中から、ユーザが所望の印象度を選択可能に表示するように構成しても良い。
【０２３６】
図２６は、ユーザの印象度が選択可能にされた、携帯端末１の表示パネルにおける表示画面例を示す図である。図２６の例では、３段階に印象度が分かれており（星印の数が多い印象度ほど、ユーザにとって高い印象を持っていることを表している）、ユーザが携帯端末１の操作ボタンを操作して、何れかの印象度を選択して保存ボタンを押下すると、携帯端末１は、選択された印象度を示す情報と共に、商品コード、ユーザ識別コードを含む登録依頼情報を、ネットワークＮＴを介して商品情報提供サーバ４に対して送信し、商品情報提供サーバ４は、メモ情報データベースサーバ３ａに接続し、受信された登録依頼情報に含まれる印象度を示す情報を付加情報として上記受信されたユーザ識別コードに対応付けてメモ情報データベース３１ａに登録することになる。そして、印象度を示す情報を利用して、携帯端末１は、上述した商品メモ一覧画面の商品メモ一覧８２を表示する場合、複数の商品情報の順序を、印象度の高い順に表示することができる。これにより、ユーザは、自己がメモした多くの商品の商品情報を印象度の高い順に見ることができる。
【０２３７】
ところで、上記実施形態において、例えば商品情報提供サーバ４は、メモ情報データベース３１ａに登録された各ユーザ（ユーザ識別コードに対応する）の商品情報を定期的に取得し、例えば商品（商品コード）毎に、商品情報を登録したユーザの数を集計して、どの商品の商品情報がどのくらいのユーザによりメモ情報として登録されたかを示すランキング（順位）を決定して、そのランキング情報を、例えば、インターネット上の所定のサイトで公開したり、或いは、商品提供者（店舗、メーカ）等に対して提供するように構成しても良い。このような構成によれば、どの商品が消費者に人気があるか、どの商品が流行っているかの情報を商品提供者等に提供することができる。ランキング情報を、例えば、インターネット上の所定のサイトで公開したり、或いは、商品提供者（店舗、メーカ）等に対して提供することについての詳細は、第８実施形態において詳しく説明する。
【０２３８】
また、メモ情報内に印象度を示す情報が含まれている場合、商品情報提供サーバ４は、ユーザによりメモ情報として登録された商品のうち、印象度が高い商品の登録数のランキングを決定して、そのランキング情報を、例えば、インターネット上の所定のサイトで公開したり、或いは、商品提供者（店舗、メーカ）等に対して提供するように構成しても良い。このような構成によれば、どの商品が消費者に人気があるか、どの商品が流行っているかの情報をより正確に商品提供者等に提供することができる。
（第５実施形態）
次に、上記実施形態における商品情報提供システムＳの構成を前提とした第５実施形態について説明する。この第５実施形態は、ユーザがメモ情報として登録した商品のお勧め情報を、当該ユーザに対して提供する形態である。
【０２３９】
この場合、商品情報提供サーバ４の制御部１１は、本発明のお勧め情報取得手段及びお勧め情報送信手段として機能し、携帯端末１のＣＰＵは、本発明のお勧め情報受信手段及びお勧め情報表示手段として機能するようになっている。
【０２４０】
また、上記商品情報データベース２１ａには、商品毎に、商品コードに対応付けられて商品のお勧め情報（例えば、当該商品のＰＲやＰＯＰ情報、更には商品画像）が登録されており、このお勧め情報は、当該商品の提供者（例えば、当該商品を販売する店舗の店員、或いは、当該商品のメーカの担当者）により登録されるようになっている。例えば、店舗の店員は、店舗に設置された店舗端末からネットワークＮＴを介して商品情報提供サーバ４に接続し認証された（例えば、店員により入力された店舗ＩＤ及びパスワードが登録されていることにより）後、所定のフォーム画面上で、商品（商品コード）を選択して上記お勧め情報を入力する。こうして入力されたお勧め情報が、店舗端末からネットワークＮＴを介して商品情報提供サーバ４に送信されることにより商品情報データベース２１ａに登録される。
【０２４１】
そして、例えば図２１に示す商品メモ一覧画面上に、お勧めボタンを表示させるようにし、ユーザが、お勧め情報を見たい所望の商品の例えば商品名を携帯端末１の操作ボタンを操作して指定した（図２１に示す商品メモ一覧８２にて）後、上記お勧めボタンを選択実行すると、携帯端末１は、指定された商品の商品コード及びユーザ識別コードを含むお勧め情報取得依頼情報（お勧め情報の取得要求を示す）を、ネットワークＮＴを介して商品情報提供サーバ４に対して送信する。そして、商品情報提供サーバ４は、携帯端末１からお勧め情報取得依頼情報を受信すると、商品情報データベースサーバ２ａに接続し、商品情報データベース２１ａを検索して、上記受信された商品コードに対応する商品のお勧め情報が登録されているか否かを判別し、登録されている場合には当該お勧め情報を取得し、当該取得したお勧め情報をネットワークＮＴを介して携帯端末１に対して送信し、携帯端末１は、商品情報提供サーバ４から送信されてきたお勧め情報を受信すると、これを表示する。
【０２４２】
図２７に、携帯端末１の表示パネルに表示されたお勧め情報の一例を示す。図２７の例では、店舗の店員Ａにより登録された商品をＰＲするための情報が表示されている。
【０２４３】
このような構成によれば、ユーザは、メモ情報として登録しておいた商品についての例えば店舗からのお勧め情報を携帯端末１上で見ることができるので、ユーザにとって利便性が極めて高く、店舗側にとっても、例えばユーザがメモ情報として登録はしたが未だ購入を決定していない商品について購入意欲を喚起させることができるので、極めて高い販促効果を期待することができる。
【０２４４】
また、上記商品のお勧め情報として、商品のお勧めコーディネート情報（例えば、当該商品に合う組合せ（例えば、ニットに合うパンツ（複数登録可能））に係る商品の商品コード、更にはそれらの商品画像等）を登録しておき、携帯端末１における上記お勧めボタンの選択実行により、当該商品のお勧めコーディネート情報が携帯端末１の表示パネル上に表示されるように構成しても良い。
【０２４５】
図２８は、携帯端末１の表示パネルに表示されたお勧めコーディネート情報の一例を示す。図２８の例では、ユーザによりメモ情報として登録された商品（例えば、ニット）に合う組合せに係る複数の商品（ここでは、ニットに組み合わされた、スカート、パンツ、デニム）が選択可能に表示されている。このような表示状態において、ユーザにより携帯端末１の操作ボタンによって「上」ボタン９１又は「下」ボタン９２が選択実行されると、組合せに係る商品情報上に表示されたカーソルが上又は下に移動することになり、「決定ボタン」９３が選択実行されると、カーソルが表示された商品の商品詳細画面（例えば、図１８（Ａ）に示すような画面）が表示されることになる。
【０２４６】
このような構成によれば、ユーザは、メモ情報として登録しておいた商品についての例えば店舗からのお勧めコーディネート情報を見て、好きなコーディネートに係る商品を携帯端末１上で選ぶことができるので、ユーザにとって利便性が極めて高く、店舗側にとっても、ユーザがメモ情報として登録した商品のお勧めコーディネートを提供できるので、極めて高い販促効果を期待することができる。
（第６実施形態）
次に、上記実施形態における商品情報提供システムＳの構成を前提とした第６実施形態２について説明する。この第６実施形態は、ユーザがメモ情報として登録した商品の口コミ情報を、当該ユーザに対して提供する形態である。
【０２４７】
この場合、商品情報提供サーバ４の制御部１１は、本発明の口コミ情報取得手段及び口コミ情報送信手段として機能し、携帯端末１のＣＰＵは、本発明の口コミ情報受信手段及び口コミ情報表示手段として機能するようになっている。
【０２４８】
また、商品情報提供システムＳには、ある商品に関して例えばインターネット上における掲示板やメーリングリスト等のサイトにおいて多くの人により書き込まれた商品についての評価等の情報（口コミ情報）を公知の検索エンジン等により検索（いわゆるネットサーフィン）する口コミ情報検索サーバが備えられている。口コミ情報検索サーバは、例えば、商品情報提供サーバ４からの口コミ情報検索のための商品に関するキーワードを含む口コミ情報検索要求を受けて、当該キーワードにより口コミ情報を検索し、ネットワークＮＴを介して商品情報提供サーバ４に提供するようになっている。
【０２４９】
そして、例えば図２１に示す商品メモ一覧画面上に、口コミボタンを表示させるようにし、ユーザが、口コミ情報を見たい所望の商品の例えば商品名を携帯端末１の操作ボタンを操作して指定した（図２１に示す商品メモ一覧８２にて）後、上記口コミボタンを選択実行すると、携帯端末１は、指定された商品の商品コード及びユーザ識別コードを含む口コミ情報取得依頼情報（口コミ情報の取得要求を示す）を、ネットワークＮＴを介して商品情報提供サーバ４に対して送信する。そして、商品情報提供サーバ４は、携帯端末１から口コミ情報取得依頼情報を受信すると、口コミ情報検索サーバに接続し、当該商品の商品コードに対応する例えば商品名等のキーワードを含む口コミ情報検索要求を行い、口コミ情報検索サーバは、商品情報提供サーバ４からのキーワードに対応する口コミ情報を検索、取得して、商品情報提供サーバ４に提供する。こうして、商品情報提供サーバ４は、取得した口コミ情報をネットワークＮＴを介して携帯端末１に対して送信し、携帯端末１は、商品情報提供サーバ４から送信されてきた口コミ情報を受信すると、これを表示する。
【０２５０】
図２９に、携帯端末１の表示パネルに表示された口コミ情報の一例を示す。図２９の例では、お酒Ｚの口コミ情報を示している。
【０２５１】
このような構成によれば、ユーザは、メモ情報として登録しておいた商品についての多くの人の口コミ情報を見て、当該商品を購入するか否かを決めることができるので、ユーザにとって利便性が極めて高い。
【０２５２】
なお、口コミ情報を検索するためのキーワードとは別の例として、口コミ情報検索サーバは、例えば商品の画像データを用いて公知の類似画像検索を実行することにより、上記口コミ情報取得依頼情報に含まれる商品コードに対応する商品の画像と類似する画像（例えば、双方の画像の輪郭、色等が予め設定された範囲内にある）を検索し、当該検索した商品の画像に付随する口コミ情報を取得して商品情報提供サーバ４に提供するように構成しても良い。
（第７実施形態）
次に、上記実施形態における商品情報提供システムＳの構成を前提とした第７実施形態３について説明する。この第７実施形態は、商品の画像を、ユーザにより携帯端末１から撮影してメモ情報に登録する形態である。
【０２５３】
この場合、例えば、図１７に示すメニュー画面上に、商品撮影ボタンを表示させるようにし、ユーザが、携帯端末１の操作ボタンを操作して上記商品撮影ボタンを選択実行すると、カメラが起動され、図３０に示すような商品撮影画面が携帯端末１の表示パネル上に表示される。このような商品撮影画面の表示状態において、店舗に陳列された所望の商品に携帯端末１のカメラを近づけ、カメラボタン１００を選択実行すると、携帯端末１は、当該商品を撮影して、その画像データを読み取り、一時ＲＡＭに記憶する。続いて、ユーザが操作ボタンを操作して保存ボタン１０１を選択実行すると、例えば、上述した図５に示す直接入力画面に遷移される。
【０２５４】
このような直接入力画面において、ユーザが携帯端末１の操作ボタンを操作して、ユーザが撮影した商品についての商品コード、商品名、メーカ名、商品スペック、分類カテゴリ、自己評価、価格、及びお店／売場等の情報を、当該ユーザの知り得る範囲で入力し、登録ボタン６６を選択実行（登録指示を入力）すると、携帯端末１は、上記ＲＡＭに記憶された商品の画像データを取得すると共に、入力された商品コード、商品情報、付加情報等、及びユーザ識別コードを含む商品画像登録依頼情報（商品画像の登録要求を示す）を、ネットワークＮＴを介して商品情報提供サーバ４に対して送信する。
【０２５５】
これに対し、商品情報提供サーバ４（制御部４１）は、携帯端末１から送信されてきた商品画像登録依頼情報を受信すると、メモ情報データベースサーバ３ａに接続し、受信された商品画像登録依頼情報に含まれる商品画像データをメモ情報として上記受信されたユーザ識別コードに対応付けてメモ情報データベース３１ａに登録する。こうして、登録された商品画像は、その他の情報と共に後から例えば図１８（Ｂ）に示す商品詳細＆コメント入力画面等に表示するように構成する。
【０２５６】
或いは、例えば図２１に示す商品メモ一覧画面上に、商品画像表示ボタンを表示させるようにし、ユーザが、画像を見たい所望の商品の例えば商品名を携帯端末１の操作ボタンを操作して指定した後、上記商品画像表示ボタンを選択実行すると、携帯端末１は、指定された商品の商品コード及びユーザ識別コードを含む商品画像取得依頼情報（商品画像の取得要求を示す）を、ネットワークＮＴを介して商品情報提供サーバ４に対して送信する。そして、商品情報提供サーバ４は、携帯端末１から商品画像取得依頼情報を受信すると、メモ情報データベースサーバ３ａに接続し、メモ情報データベース３１ａを検索して、上記受信されたユーザ識別コードに対応付けられたメモ情報から、上記受信された商品コードに対応する商品画像データを取得し、当該取得した商品画像データをネットワークＮＴを介して携帯端末１に対して送信し、携帯端末１は、商品情報提供サーバ４から送信されてきた商品画像データを受信すると、これを表示するように構成する。
【０２５７】
このように構成すれば、ユーザは店舗等で気に入った商品の画像を撮影して商品情報等と共に登録しておくことができ、後からその商品を携帯端末１上で見ることができるので、よりその商品の印象を把握することができる。
（第８実施形態）
次に、上記実施形態における商品情報提供システムＳＸ１又は商品情報提供システムＳの構成を前提とした第８実施形態について説明する。この第８実施形態は、上記のように登録されたメモ情報を基に、提供者側（例えば、店舗側）に対して有益な情報を提供する形態である。
【０２５８】
例えば、商品の提供者側である店舗の責任者が、商品の提供者が利用する提供者用端末装置（店舗端末１Ｔでも良いし、ＰＣ等の端末でも良い、以下、「提供者用端末」という）の操作部を操作してブラウザを起動させ、商品情報提供システムＳＸ１におけるユーザメモ管理サーバ６（本発明の情報提供装置の一例）のＵＲＬ（Uniform Resource Locator）を指定すると、当該提供者用端末がネットワークＮＴを介してユーザメモ管理サーバ６に接続され、これに応じてユーザメモ管理サーバ６からログイン画面データが当該提供者用端末に送信され、当該提供者用端末の表示部にログイン画面（図示せず）が表示される。このようにログイン画面が表示された状態において、店舗の責任者が当該提供者用端末の操作部を操作して自己の店舗ＩＤ及びパスワードを入力（当該店舗ＩＤ及びパスワードを記憶保存しておけば、当該入力を省略することもできる）して実行ボタンを押下すると、当該店舗ＩＤ及びパスワードがユーザメモ管理サーバ６に送信される。これに対し、ユーザメモ管理サーバ６は、ネットワークークＮＴを介して店舗情報管理サーバ３に対して、認証処理を実行し、受信した店舗ＩＤ及びパスワードが登録されているか否かを問い合わせる情報を送信する。そして、ユーザメモ管理サーバ６は、店舗情報管理サーバ３から上記店舗ＩＤ及びパスワードが登録されていることを示す情報を受信した場合には、認証有効とし、上記提供者用端末に対してメニュー画面データを送信する。
【０２５９】
こうして、提供者用端末の表示部に表示されたメニュー画面の一例を図３１に示す。図３１に示すように、メニュー画面１５１には、例えば、商品ランキング情報ボタン１５１ａ、ユーザ別メモ情報ボタン１５１ｂ、商品別ユーザ評価情報ボタン１５１ｃ、及びユーザ動線情報ボタン１５１ｄが設けられている。
【０２６０】
以下、夫々のボタンに応じた情報が店舗の責任者に対して提供される実施形態について説明する。
（商品ランキング情報の提供）
図３１に示すメニュー画面１５１の表示状態において、店舗の責任者が当該提供者用端末の操作部を操作して、商品人気ランキングボタン１５１ａを押下（例えば、マウスでクリック）すると、当該提供者用端末は、ランキング集計要求情報を、ネットワークＮＴを介して、ユーザメモ管理サーバ６に送信する。これに対し、ユーザメモ管理サーバ６は、当該ランキング集計情報を受信すると、メモ情報データベースに記憶されているメモ情報のうち、上記認証有効となった店舗ＩＤに対応付けられたメモ情報であって、且つ、所定の集計期間（例えば、現在から過去１週間前までの期間が初期設定されている）及び集計範囲（例えば、全商品カテゴリ、全価格帯、全時間帯、全メーカ、全媒体が初期設定されている）を満たすメモ情報を取得し、かかるメモ情報に含まれる同じ商品ＩＤ（つまり、同じ商品）毎にその数（つまり、メモ情報に含まれる商品ＩＤ毎の登録数（以下、「クリップ数」という））を集計（積算）し、クリップ数（集計数）の順位を示すクリップランキングをランキング決定手段により決定する。
【０２６１】
また、ユーザメモ管理サーバ６は、上記認証有効となった店舗ＩＤに対応する商品情報であって、且つ、第１実施形態における上記ステップＳ５において表示された全ての商品の商品情報のうち、所定の集計期間及び集計範囲を満たす商品情報を取得し、同じ商品ＩＤ（つまり、同じ商品）毎にその数（第１実施形態における上記ステップＳ６においてメモ保存指示を入力されたかどうかに関わらず、携帯端末１で商品情報が表示された（つまり、商品ＩＤが読み取られた（スキャンされた）数（以下、「スキャン数」という）））を集計（積算）し、スキャン数（集計数）の順位を示すスキャンランキングを決定する。なお、第１実施形態における上記ステップＳ５において、商品情報が携帯端末１上に表示されると、携帯端末１のユーザ（消費者）のユーザＩＤ、その商品情報、媒体情報、日時、及び店舗ＩＤ等の情報がユーザメモ管理サーバ６に送信され、当該ユーザＩＤ、商品情報、媒体情報、日時、及び店舗ＩＤ等が含まれるスキャン情報が、メモ情報とは区別されて記憶されることになる。
【０２６２】
次いで、ユーザメモ管理サーバ６は、上記決定されたクリップランキングを示す情報、当該クリップランキングに含まれる各商品のクリップ数、商品画像、及び商品名、並びに、上記決定されたスキャンランキングを示す情報、当該スキャンランキングに含まれる各商品のスキャン数、商品画像、及び商品名等が含まれる商品ランキング画面データをネットワークＮＴを介して、上記提供者用端末に対して送信する。そして、当該提供者用端末は、送信されてきた商品ランキング画面データを受信すると、その商品ランキング画面をブラウザにより表示部に表示する。
【０２６３】
こうして、提供者用端末の表示部に表示された商品ランキング画面の一例を図３２に示す。図３２に示すように、商品ランキング画面１５２には、ランキングのための集計条件（ここでは、集計期間や、集計範囲（例えば、商品カテゴリ別、価格帯別、時間帯別、メーカ別、媒体別等）の条件）等を設定するためのランキング集計設定部１５２ａと、上記集計条件によって決定されたランキング（スキャンランキング及びクリップランキング）等を表示するためのランキング集計結果表示部１５２ｂとが設けられている。このランキング集計結果表示部１５２ｂにおけるスキャンランキング１５２８には、スキャン数が多い商品順にその商品画像及びスキャン数が表示され、クリップランキング１５２９には、クリップ数が多い商品順にその商品画像及びクリップ数が表示されている（なお、商品画像と共に商品名を表示しても良い）。
【０２６４】
これにより、店舗の責任者等は、当該店舗において、どの商品に人気が集中しているか（どの商品がどの程度興味を持たれているか）、また、人気のない商品がどれか等を、消費者の購入検討過程においても把握することができる。また、店舗の責任者等は、店舗端末１ＴにおけるＰＯＳデータと比較することで、人気は高いけれど買われていない商品などを把握することができる。しかも、店舗の責任者等は、スキャンランキングにより情報参照レベルの商品（購入候補とはならないが、多少興味がある商品）のランキングを把握することができ、クリップランキングにより購入候補レベルの商品（言い換えれば、消費者（顧客）が欲しい商品）のランキングを把握することができるので、より正確な情報を把握することができる。更に、スキャンランキング及びクリップランキングは、商品カテゴリ別、価格帯別、時間帯別、媒体別、メーカ別等に区別して表示可能であるので、店舗の責任者等は、目的等に応じて、人気商品の把握をすることができる。従って、店舗の責任者等に対して、人気商品の選択や、売り場作り等、適切な商品販売戦略を立てること等を支援することができる。
【０２６５】
そして、店舗の責任者が、提供者用端末の操作部を操作して、ランキング集計設定部１５２ａにおける集計期間入力部１５２０にて、所望の期間を入力することができ、同設定部１５２ａにおける商品カテゴリ選択部１５２１にて、所望の商品カテゴリ（例えば、洋服）を選択（例えば、プルダウン表示中から選択、以下同じ）することができ、同設定部１５２ａにおける価格帯選択部１５２２にて、所望の価格帯（例えば、１，０００円から５，０００円の価格）を選択することができ、同設定部１５２ａにおける時間帯選択部１５２３にて、所望の時間帯（例えば、午前１０時から午後２時までの時間帯）を選択することができ、同設定部１５２ａにおけるメーカ選択部１５２４にて、所望のメーカを選択することができ、同設定部１５２ａにおける媒体選択部１５２５にて、所望の媒体（商品ＩＤの取得媒体（例えば、店頭のＩＣタグ、カタログ、チラシ（折り込みチラシ）、値札、会員ＤＭ（ダイレクトメール）等）を選択することができ、同設定部１５２ａにおける媒体一覧有無選択部１５２６にて、媒体一覧の表示有無を選択することができる。そして、店舗の責任者が、提供者用端末の操作部を操作して、集計ボタン１５２７を押下すると、上記ランキング集計設定部１５２ａにおいて設定された集計条件及び媒体一覧表示有無情報を含むランキング集計要求情報が、ネットワークＮＴを介してユーザメモ管理サーバ６に送信されることになる。
【０２６６】
ユーザメモ管理サーバ６は、当該ランキング集計要求情報を受信すると、メモ情報データベースに記憶されているメモ情報（店舗ＩＤに対応するメモ情報）のうち、ランキング集計要求情報に含まれる集計条件を満たすメモ情報を取得し、かかるメモ情報に含まれる同じ商品ＩＤ毎にクリップ数を集計しクリップランキングを決定すると共に、上述したユーザメモ管理サーバ６に記憶されたスキャン情報（店舗ＩＤに対応するスキャン情報）のうち、ランキング集計要求情報に含まれる集計条件を満たすスキャン情報を取得し、同じ商品ＩＤ毎にスキャン数を集計し、スキャンランキングを決定する。また、ユーザメモ管理サーバ６は、ランキング集計要求情報に含まれる媒体（商品ＩＤを保持する媒体）一覧表示有無情報が「有」であった場合には、上記集計条件を満たすメモ情報に含まれる媒体情報毎にクリップ数を集計（算出）し、上記集計条件を満たすスキャン情報に含まれる媒体情報毎にクリップ数を集計（算出）する。
【０２６７】
そして、ユーザメモ管理サーバ６は、上記決定されたクリップランキングを示す情報、各商品のクリップ数、商品画像、及び商品名、並びに、上記決定されたスキャンランキングを示す情報、各商品のスキャン数、商品画像、及び商品名、さらに媒体情報毎のクリップ数及びスキャン数等が含まれる商品ランキング画面データをネットワークＮＴを介して、上記提供者用端末に対して送信（提供手段として提供）する。そして、当該提供者用端末は、送信されてきた商品ランキング画面データを受信すると、その商品ランキング画面をブラウザにより表示部に表示する。
【０２６８】
こうして、提供者用端末の表示部に表示された商品ランキング画面の一例を図３３に示す。図３３に示すように、商品ランキング画面１５３には、上記媒体情報毎のクリップ数及びスキャン数の一覧を表示するための媒体一覧表示部１５３ａと、上記受信されたランキング集計要求情報に含まれる集計条件によって決定されたランキング（スキャンランキング及びクリップランキング）を表示するためのランキング集計結果表示部１５３ｂとが設けられている。図３３に示す媒体一覧表示部１５３ａには、各媒体（ここでは、会員ＤＭと折り込みチラシ）毎、且つ、日毎のクリップ数及びスキャン数、並びに当該媒体の発行数が表示されている。なお、媒体一覧表示部１５３ａは、媒体一覧表示有無情報が「無」であった場合には表示されず、代わりにランキング集計設定部１５２ａが表示される。また、媒体一覧表示部１５３ａに設けられた設定ボタン１５３０が押下されると、ランキング集計設定部１５２ａが表示される。
【０２６９】
これにより、店舗の責任者等は、販促媒体（メディア）の効果、つまり、どの媒体が消費者に多く見られたかを把握することができるので、振るわない例えば折り込みチラシの配布を廃止してその分、会員ＤＭに投資する等の判断が可能となり、より効果の高い媒体に投資を集中することができる。
【０２７０】
また、図３３に示す商品ランキング画面１５３におけるランキング集計結果表示部１５３ｂには、例えば、集計期間が「２００５年５月１５日の全時間」、集計範囲における商品カテゴリが「洋服」、価格帯が「全価格帯」、時間帯が「全時間帯（１日中）」、メーカが「全メーカ」、媒体が「会員ＤＭ」というように設定された集計条件によって決定されたスキャンランキング及びクリップランキング等が表示されている。
【０２７１】
これにより、媒体上に掲載した商品がどの程度興味を持たれたかを把握することができる。
（ユーザ別メモ情報の提供）
次に、図３１に示すメニュー画面１５１の表示状態において、店舗の責任者が当該提供者用端末の操作部を操作して、ユーザ別メモ情報ボタン１５１ｂを押下すると、当該提供者用端末は、ユーザ別メモ情報要求情報を、ネットワークＮＴを介して、ユーザメモ管理サーバ６に送信する。これに対し、ユーザメモ管理サーバ６は、当該ユーザ別メモ情報要求情報を受信すると、上記認証有効となった店舗ＩＤに対応付けられた全てのユーザＩＤと、これに対応するメモ情報及びスキャン情報を取得する。かかるメモ情報及びスキャン情報中には、例えば、第４実施形態における図１８（Ａ）に示す商品詳細＆コメント入力画面において入力されるような自己評価（例えば、商品に対するお気に入りランクやコメント、商品の印象等）や、図２６に示す画面において入力されるような印象度を示す情報等の付加情報が含まれている。
【０２７２】
そして、ユーザメモ管理サーバ６は、上記取得した全てのユーザＩＤ、及び夫々のユーザＩＤに対応するメモ情報及びスキャン情報の全部又は一部（例えば、登録（記憶）日時、媒体情報及び付加情報）等が含まれるユーザ別メモ情報画面データをネットワークＮＴを介して、上記提供者用端末に対して送信（提供手段として提供）する。そして、当該提供者用端末は、送信されてきたユーザ別メモ情報画面データを受信すると、そのユーザ別メモ情報画面をブラウザにより表示部に表示する。
【０２７３】
こうして、提供者用端末の表示部に表示されたユーザ別メモ情報画面の一例を図３４に示す。図３４に示すように、ユーザ別メモ情報画面１５４には、各ユーザ（消費者）のユーザＩＤが選択可能に表示されるユーザ選択部１５４ａと、ユーザ選択部１５４ａにて選択されたユーザＩＤに対応するメモ情報及びスキャン情報が表示される詳細情報表示部１５４ｂとが設けられている。店舗の責任者が、提供者用端末の操作部を操作して、ユーザ選択部１５４ａにおける所望のユーザＩＤを選択（例えば、マウスでクリック）すると、そのユーザＩＤに対応するメモ情報及びスキャン情報が詳細情報表示部１５４ｂに表示されることになる（なお、ユーザＩＤが選択される度に、そのユーザＩＤに対応するメモ情報及びスキャン情報がユーザメモ管理サーバ６から送信されるように構成しても良い）。また、図３４に示す詳細情報表示部１５４ｂには、スキャンされた商品と、メモ（クリップ）された商品とに区別されて、商品画像、媒体情報、登録日時、商品に対する印象度（星印）、及び商品に対する評価（コメント）が表示されている。
【０２７４】
これにより、店舗の責任者等は、消費者毎に嗜好や傾向（テイスト）を把握することができ、更には、商品に対する評価（コメント）から商品の課題（どのように改善すれば、商品を買ってもらえるか等）を把握することができるので、当該消費者に応じた効果的な販促を行うことができる。
（商品別ユーザ評価情報の提供）
次に、図３１に示すメニュー画面１５１の表示状態において、店舗の責任者が当該提供者用端末の操作部を操作して、商品別ユーザ評価情報１５１ｃを押下すると、当該提供者用端末は、商品別ユーザ評価情報要求情報を、ネットワークＮＴを介して、ユーザメモ管理サーバ６に送信する。これに対し、ユーザメモ管理サーバ６は、当該商品別ユーザ評価情報要求情報を受信すると、上記認証有効となった店舗ＩＤに対応付けられた全てのユーザＩＤに対応するメモ情報又はスキャン情報に含まれる所定の商品（例えば、初期設定された特定のメーカ及び商品カテゴリに対応する商品）の商品ＩＤを含む商品情報、当該商品ＩＤに対する印象度（星印）、及び商品に対する評価（コメント）を示す情報等を取得する。
【０２７５】
そして、ユーザメモ管理サーバ６は、上記取得した商品情報、商品に対する印象度（星印）、及び商品に対する評価（コメント）を示す情報等が含まれる商品別ユーザ評価情報画面データをネットワークＮＴを介して、上記提供者用端末に対して送信する。そして、当該提供者用端末は、送信されてきた商品別ユーザ評価情報画面データを受信すると、そのユーザ別メモ情報画面をブラウザにより表示部に表示する。
【０２７６】
こうして、提供者用端末の表示部に表示された商品別ユーザ評価情報画面の一例を図３５に示す。図３５に示すように、商品別ユーザ評価情報画面１５５には、評価一覧を表示するべき商品の条件を設定するための評価商品設定部１５５ａと、ある商品の評価を表示するための商品評価一覧表示部１５５ｂとが設けられている。図３５に示す商品評価一覧表示部１５５ｂには、商品ＩＤが「ＸＸ−ＸＸＸＸ３」の商品についての評価一覧１５５５（つまり、商品に対する印象度（星印）、及び商品に対する評価（コメント）を示す情報の一覧）が表示されている。また、図３５に示す評価商品設定部１５５ａにおける商品一覧１５５４には、メーカ選択部１５５１にて選択されたメーカ、及び商品カテゴリ選択部１５５２にて選択された商品カテゴリの条件を満たす商品の商品ＩＤが選択可能に表示されている。店舗の責任者が、提供者用端末の操作部を操作して、評価商品設定部１５５ａの商品一覧１５５４における所望の商品ＩＤを選択（例えば、マウスでクリック）すると、その商品ＩＤの商品についての評価一覧１５５５が表示されることになる。
【０２７７】
また、店舗の責任者が、提供者用端末の操作部を操作して、評価商品設定部１５５ａにおけるメーカ選択部１５５１にて所望のメーカを選択し、商品カテゴリ選択部１５５２にて所望の商品カテゴリを選択して、取得ボタン１５５３を押下すると、その条件を示す情報を含む商品別ユーザ評価情報要求情報がユーザメモ管理サーバ６に送信され、当該条件を満たす商品の商品ＩＤを含む商品情報、当該商品ＩＤに対する印象度（星印）、及び商品に対する評価（コメント）を示す情報等が再取得され、提供者用端末に送信されることになる。
【０２７８】
これにより、店舗の責任者等は、商品毎に消費者の評価及び購買の障害になっている課題を把握することができる。従って、店舗の責任者等に対して、人気商品の選択や、売り場作り等、適切な商品販売戦略を立てること等を支援することができる。
（ユーザ動線情報の提供）
次に、図３１に示すメニュー画面１５１の表示状態において、店舗の責任者が当該提供者用端末の操作部を操作して、ユーザ動線情報ボタン１５１ｄを押下すると、当該提供者用端末は、ユーザ動線情報要求情報を、ネットワークＮＴを介して、ユーザメモ管理サーバ６に送信する。これに対し、ユーザメモ管理サーバ６は、当該ユーザ動線情報要求情報を受信すると、上記認証有効となった店舗ＩＤに対応付けられた全てのユーザＩＤと、これに対応するメモ情報及びスキャン情報であって、且つ、所定日（例えば、昨日が初期設定されている）におけるメモ情報及びスキャン情報を取得する。
【０２７９】
ここで、メモ情報及びスキャン情報に含まれる商品ＩＤが読み取られた（第１実施形態において携帯端末１の情報読み取り部１６により読み取られた）媒体が、当該店舗内にある場合（つまり、店舗内で商品ＩＤが読み取られた場合）、その媒体の店舗内における位置を示す位置情報も、当該商品ＩＤに対応付けられてメモ情報中に登録されているものとする。かかる位置情報（例えば、後述する店舗のレイアウト画像上における位置座標（Ｘ，Ｙ）、複数階を有する店舗の場合、階数とその階における位置座標）は、例えば、店舗内における媒体（例えば、ＩＣタグ）固有の媒体ＩＤに対応付けられて予め記憶されているものであり、携帯端末１の情報読み取り部１６により当該媒体から商品ＩＤが読み取られる際に、その媒体の媒体ＩＤも読み取られ、当該媒体ＩＤに対応する位置情報が商品ＩＤに対応付けられて登録される。
【０２８０】
ユーザメモ管理サーバ６は、各ユーザＩＤ毎に、各ユーザＩＤに対応する上記取得したメモ情報及びスキャン情報の中から、上記位置情報が対応付けられた商品ＩＤ、当該商品ＩＤに対応する商品画像及び商品名、当該商品ＩＤに対応付けられた位置情報、及び登録日時等の情報を動線情報として抽出し（位置情報が対応付けられていない商品ＩＤは抽出対象外となる）、上記全てのユーザＩＤと、夫々のユーザＩＤに対応する動線情報が含まれたユーザ動線情報画面データをネットワークＮＴを介して、上記提供者用端末に対して送信（提供手段として提供）する。そして、当該提供者用端末は、送信されてきたユーザ動線情報画面データを受信すると、そのユーザ動線情報画面をブラウザにより表示部に表示する。
【０２８１】
こうして、提供者用端末の表示部に表示されたユーザ動線情報画面の一例を図３６に示す。図３６に示すように、ユーザ動線情報画面１５６には、各ユーザのユーザＩＤが選択可能に表示されるユーザ選択部１５６ａと、ユーザ選択部１５６ａにて選択されたユーザＩＤに対応する動線情報が表示される動線情報表示部１５６ｂとが設けられている。
【０２８２】
ここで、動線情報とは、ユーザが店舗内において商品ＩＤを読み取った位置を時系列的に示す情報（言い換えれば、店舗内におけるユーザの動きを示す情報）をいう。
【０２８３】
図３６に示す動線情報表示部１５６ｂには、店舗のレイアウト（商品陳列棚及びその間の歩行者通路を含む）を示すレイアウト画像１５６１が表示されており、かかるレイアウト画像１５６１上には、２００５年９月３日にユーザＩＤ「００００００５」に対応するユーザによってスキャン又はメモ（クリップ）された商品の位置を示すマーク（例えば、丸印）とシーケンス番号（例えば、１，２，３・・・）が表示されている。
【０２８４】
なお、店舗のレイアウト画像１５６１は、全面に座標（Ｘ，Ｙ）情報を有しており、夫々の商品に対応するマーク及びシーケンス番号は、夫々の位置情報に応じた位置に表示されることになる。また、かかるシーケンス番号は、登録日時順（言い換えれば、スキャン又はメモ（クリップ）された順）に付与されており、若い番号ほどより過去のものとなる。また、図３６に示す動線情報表示部１５６ｂにおけるスキャン・クリップ履歴１５６２には、レイアウト画像１５６１上に表示された夫々のシーケンス番号と、これに対応する商品の商品画像、登録日時及びスキャン・クリップの別が表示されている。
【０２８５】
これにより、店舗の責任者等は、消費者毎に、その動線（言い換えれば、店舗内における回遊軌跡）を把握することができ、どの箇所の商品に興味があるかを把握することができる。従って、店舗の責任者等に対して、人気商品の選択や、売り場作り等、適切な商品販売戦略を立てること等を支援することができる。
【０２８６】
このような表示状態において、店舗の責任者が、提供者用端末の操作部を操作して、ユーザ選択部１５６ａにおける所望のユーザＩＤを選択（例えば、マウスでクリック）すると、そのユーザＩＤに対応する動線情報が動線情報表示部１５６ｂに表示されることになる（なお、ユーザＩＤが選択される度に、そのユーザＩＤに対応する動線情報がユーザメモ管理サーバ６から送信されるように構成しても良い）。
【０２８７】
また、店舗の責任者が、提供者用端末の操作部を操作して、図３６に示す動線情報表示部１５６ｂにおける年月日入力欄１５６３に所望の年月日を入力し、表示ボタン１５６４を押下すると、当該年月日を示す情報を含むユーザ動線情報要求情報が、ユーザメモ管理サーバ６に送信される。そして、ユーザメモ管理サーバ６は、ユーザ動線情報要求情報を受信すると、上記認証有効となった店舗ＩＤに対応付けられた全てのユーザＩＤと、これに対応するメモ情報及びスキャン情報であって、且つ、上記入力された年月日におけるメモ情報及びスキャン情報を取得し、更に、これから動線情報を抽出し、上記と同様、当該動線情報が含まれたユーザ動線情報画面データを、提供者用端末に送信することになる。
【０２８８】
更に、店舗の責任者が、提供者用端末の操作部を操作して、全ユーザボタン１５６５を押下すると、提供者用端末は、ユーザ別ではなく全てのユーザＩＤに対応するユーザ（消費者）によってスキャン又はメモ（クリップ）された商品の位置を示すマークをレイアウト画像１５６１上に表示する。こうして表示されたマークの数は、非常に多くなり、重なって表示される場合が考えられる。このため、一定区間に表示されるべきマークの数を積算してその数に応じた高さの棒グラフをレイアウト画像１５６１上に表示しても良い。
【０２８９】
これにより、店舗の責任者等は、全消費者の動線を把握することができ、店舗内におけるどの位置の商品に人気が集中しているか等を把握することができるので、どのように商品を陳列すれば、消費者が人気のない商品の前を通過し、目にとめてもらえるか等を判断することができる。従って、店舗の責任者等に対して、人気商品の選択や、売り場作り等、適切な商品販売戦略を立てること等を支援することができる。
【０２９０】
また、店舗がデパート、スーパー、或いは百貨店等のように複数階有する場合、動線情報表示部１５６ｂに階数選択部を設けさせ、かかる階数選択部にて選択された階数におけるユーザの動線情報が表示されるように構成しても良い。
【０２９１】
これにより、複数の店舗間を横断した消費者の動線を把握し、分析することができる。
【０２９２】
なお、上記店舗がショッピングモールであっても良く、この場合、提供者用端末は、当該ショッピングモールの運営者や管理者等によって使用され、当該ショッピングモールにおける商品ランキング情報、ユーザ別メモ情報、商品別ユーザ評価情報、及びユーザ動線情報が提供者用端末を通じて当該ショッピングモールの運営者や管理者等に対して提供（例えば、レイアウト画像１５６１は、複数店舗とその間の歩行者等の通路を示すショッピングモールのレイアウト画像となる）されることになる。
【０２９３】
以上説明したように、第８実施形態によれば、商品の提供者側に商品販売戦略上、極めて有益な情報が提供されることになり、当該情報によって提供者側は商品販売戦略を立てることができる。
（第９実施形態）
次に、上記実施形態における商品情報提供システムＳＸ１又は商品情報提供システムＳの構成を前提とした第９実施形態について説明する。この第９実施形態は、商品情報をメモ情報中に登録したユーザに対して、新しい商品の情報を提供する形態である。
【０２９４】
第９実施形態では、第８実施形態と同様、例えば、提供者用端末からユーザメモ管理サーバ６に接続し、認証処理が行われた後、当該提供者用端末に対して上記メニュー画面データに代えて、上記認証有効となった店舗ＩＤに対応付けられたユーザＩＤに対応するユーザによりメモ（クリップ）又はスキャンされた商品情報の全部又は一部を含む新商品登録・紐付け画面データを送信される。
【０２９５】
こうして、提供者用端末の表示部に表示された新商品登録・紐付け画面の一例を図３７に示す。図３７に示すように、新商品登録・紐付け画面１５７には、例えば、既に販売されている商品の商品画像を選択可能に表示する旧商品画像表示部１５７ａと、これから販売予定の新しい商品画像を表示する新商品画像表示部１５７ｂとが設けられている。旧商品画像表示部１５７ａにおける商品画像は、上下にスクロール可能に表示されるようになっており、複数のユーザによって当該店舗でメモ（クリップ）又はスキャンされた全ての商品の商品画像を表示可能になっている。
【０２９６】
店舗の責任者が、提供者用端末の操作部を操作して、新商品画像取込部１５７１にて新しい商品の商品画像の格納場所（パス）及びファイル名を指定すると、その新しい商品画像が新商品画像表示部１５７ｂに表示される。そして、店舗の責任者が、提供者用端末の操作部を操作して、新しい商品の商品画像に紐付けるべき、旧商品画像表示部１５７ａにおける商品の商品画像を１又は複数選択（例えば、新しい商品と印象や傾向が似ている商品（例えば、デザインが似ている商品）の商品画像を選択）し、登録ボタン１５７２を押下すると、当該新しい商品画像が含まれる商品情報と、これに紐付けられた（上記選択された）商品画像に対応する商品ＩＤ等を含む新商品提供要求情報が、ユーザメモ管理サーバ６に送信される。ユーザメモ管理サーバ６は、当該新商品提供要求情報を受信すると、当該新商品提供要求情報に含まれる新しい商品画像に紐付けられた商品の商品ＩＤをメモ情報又はスキャン情報中に登録しているユーザのユーザＩＤを特定し、特定されたユーザＩＤに対応するユーザの電子メールアドレス（例えば、予めユーザＩＤに対応付けてメモ情報中に登録しておく）を取得し、上記新しい商品の商品画像を含む商品情報を記述又は添付された電子メールであって、取得した電子メールアドレスを宛先とする電子メールを送信する。
【０２９７】
このように第９実施形態によれば、店舗の責任者等は、消費者に対して、より効果的に新しい商品の販促を行うことができる。
【０２９８】
なお、上記第８実施形態及び第９実施形態においては、本発明の情報提供装置として商品情報提供システムＳＸ１におけるユーザメモ管理サーバ６を適用した場合の例を示したが、これに限定されるものではなく、商品情報提供システムＳにおける商品情報提供サーバ４に対して適用しても良い。
【図面の簡単な説明】
【０２９９】
【図１】第１実施形態に係る商品情報提供システムの全体構成例を示す図である。
【図２】本実施形態に係る携帯端末１の概要構成例を示す図である。
【図３】実施例１に係る商品情報提供システムＳにおける情報処理の流れの一例を示すシーケンス図である。
【図４】メモ情報に含まれる同種類の商品の商品情報がリスト形式で表示された例を示す図である。
【図５】メモ情報に含まれる同種類の商品の商品情報が比較可能に表示された例を示す図である。
【図６】メモ情報に含まれる同種類の商品の商品情報が比較可能に表示された例を示す図である。
【図７】実施例２に係る商品情報提供システムＳにおける情報処理の流れの一例を示すシーケンス図である。
【図８】実施例２に係る商品情報提供システムＳにおける情報処理の流れの一例を示すシーケンス図である。
【図９】実施例２に係る商品情報提供システムＳにおける情報処理の流れの一例を示すシーケンス図である。
【図１０】（Ａ）は、こうして携帯端末１上に表示された商品のお知らせ画面例を示す図である。（Ｂ）は、こうして携帯端末１上に表示された商品のお知らせ画面例を示す図である。（Ｃ）は、こうして携帯端末１上に表示された店舗のお知らせ画面例を示す図である。
【図１１】第２実施形態に係る商品情報提供システムの全体構成例を示す図である。
【図１２】入力ボード装置８における各種入力手段を示す図である。
【図１３】入力ボード装置８のタッチパネル入力・表示部８１に表示されたメモ情報の一例を示す図である。
【図１４】第３実施形態に係る商品情報提供システムの全体構成例を示す図である。
【図１５】第４実施形態に係る商品情報提供システムの全体構成例を示す図である。
【図１６】商品情報提供サーバ４の概要構成例を示す図である。
【図１７】携帯端末１の表示パネルにおける表示画面例を示す図である。
【図１８】携帯端末１の表示パネルにおける表示画面例を示す図である。
【図１９】携帯端末１の表示パネルにおける表示画面例を示す図である。
【図２０】携帯端末１の表示パネルにおける表示画面例を示す図である。
【図２１】携帯端末１の表示パネルにおける表示画面例を示す図である。
【図２２】商品情報提供システムＳにおける処理の流れを示す図である。
【図２３】商品情報提供システムＳにおける処理の流れを示す図である。
【図２４】商品情報提供システムＳにおける処理の流れを示す図である。
【図２５】商品情報提供システムＳにおける処理の流れを示す図である。
【図２６】ユーザの印象度が選択可能にされた、携帯端末１の表示パネルにおける表示画面例を示す図である。
【図２７】携帯端末１の表示パネルに表示されたお勧め情報の一例を示す図である。
【図２８】携帯端末１の表示パネルに表示されたお勧めコーディネート情報の一例を示す図である。
【図２９】携帯端末１の表示パネルに表示された口コミ情報の一例を示す図である。
【図３０】携帯端末１の表示パネルに表示された商品撮影画面の一例を示す図である。
【図３１】提供者用端末の表示部に表示されたメニュー画面の一例を示す図である。
【図３２】提供者用端末の表示部に表示された商品ランキング画面の一例を示す図である。
【図３３】提供者用端末の表示部に表示された商品ランキング画面の一例を示す図である。
【図３４】提供者用端末の表示部に表示されたユーザ別メモ情報画面の一例を示す図である。
【図３５】提供者用端末の表示部に表示された商品別ユーザ評価情報画面の一例を示す図である。
【図３６】提供者用端末の表示部に表示されたユーザ動線情報画面の一例を示す図である。
【図３７】提供者用端末の表示部に表示された新商品登録・紐付け画面の一例を示す図である。
【符号の説明】
【０３００】
１  携帯端末
１Ｔ  店舗端末
２  商品情報管理サーバ
３  店舗情報管理サーバ
２ａ  商品情報データベースサーバ
３ａ  メモ情報データベースサーバ
４  商品情報提供サーバ
５  書籍情報提供サーバ
６  ユーザメモ管理サーバ
８  入力ボード装置
７，１１  専用回線
９  ＰＯＰ作成端末
１０  ＰＯＰサーバ
１０ａ  ＰＯＰ素材データベース
１０ｂ  ＰＯＰ管理データベース
１０ｃ  メモ情報データベース
１１  制御部
１２  記憶部
１３  無線通信部
１４  近距離無線通信部
１５  ＧＰＳ受信部
１６  情報読み取り部
１７  表示部
１８  操作部
１９  バス
２１ａ  商品情報データベース
３１ａ  メモ情報データベース
４１  制御部
４２  記憶部
４３  通信部
Ｓ，ＳＸ１，ＳＸ２，ＳＸ３  商品情報提供システム
ＮＴ  ネットワーク
【図１】
2007115220.tif 000003
【図２】
2007115220.tif 000004
【図３】
2007115220.tif 000005
【図４】
2007115220.tif 000006
【図５】
2007115220.tif 000007
【図６】
2007115220.tif 000008
【図７】
2007115220.tif 000009
【図８】
2007115220.tif 000010
【図９】
2007115220.tif 000011
【図１０】
2007115220.tif 000012
【図１１】
2007115220.tif 000013
【図１２】
2007115220.tif 000014
【図１３】
2007115220.tif 000015
【図１４】
2007115220.tif 000016
【図１５】
2007115220.tif 000017
【図１６】
2007115220.tif 000018
【図１７】
2007115220.tif 000019
【図１８】
2007115220.tif 000020
【図１９】
2007115220.tif 000021
【図２０】
2007115220.tif 000022
【図２１】
2007115220.tif 000023
【図２２】
2007115220.tif 000024
【図２３】
2007115220.tif 000025
【図２４】
2007115220.tif 000026
【図２５】
2007115220.tif 000027
【図２６】
2007115220.tif 000028
【図２７】
2007115220.tif 000029
【図２８】
2007115220.tif 000030
【図２９】
2007115220.tif 000031
【図３０】
2007115220.tif 000032
【図３１】
2007115220.tif 000033
【図３２】
2007115220.tif 000034
【図３３】
2007115220.tif 000035
【図３４】
2007115220.tif 000036
【図３５】
2007115220.tif 000037
【図３６】
2007115220.tif 000038
【図３７】
2007115220.tif 000039